(57)【要約】      （修正有）【課題】利便性を向上させることができる情報提供システム、及び情報提供方法を提供する。【解決手段】情報提供システム１００ｄは、複数の端末装置２ｄ−１、２ｄ−２とマスタ装置１ｄとを備える。マスタ装置１ｄは、第１の映像と第２の映像とを取得する映像取得部１５６と、マスタ装置１ｄのユーザからの要求に基づいて、第１の映像又は第２の映像を選択するマスタ選択部（表示選択部１５７）と、選択された映像を示す選択映像情報を含む通報を端末装置へ送信させる端末制御部１５２ｄと、を備える。複数の端末装置は、通報を受信する受信部（無線通信部２１）と、通報に基づいて、選択映像情報が示す映像を表示する端末表示部２３とを備える。【選択図】図２０
2019004267.tif 000002
【特許請求の範囲】
【請求項１】
複数の端末装置とマスタ装置とを備える情報提供システムであって、
前記マスタ装置は、
第１の映像と第２の映像とを取得する映像取得部と、
前記マスタ装置のユーザからの要求に基づいて、前記第１の映像又は前記第２の映像を選択するマスタ選択部と、
選択された映像を示す選択映像情報を含む通報を前記端末装置へ送信させる端末制御部と、
を備え、
前記複数の端末装置は、
前記通報を受信する受信部と、
前記通報に基づいて、前記選択映像情報が示す映像を表示する端末表示部と
を備えることを特徴とする情報提供システム。
【請求項２】
前記複数の端末装置の各々は、
第１モードと第２モードとのいずれかを選択するモード選択部を備え、
前記端末表示部は、
前記第１モードにおいて、自装置のユーザが選択した前記第１の映像又は前記第２の映像を表示し、
前記第２モードにおいて、前記通報に基づいて、前記選択映像情報が示す映像を表示する
ことを特徴とする請求項１に記載の情報提供システム。
【請求項３】
前記マスタ装置は、
前記複数の端末装置における前記第１モードと前記第２モードとを切り替えるモード切替情報を生成する生成部を備え、
前記端末制御部は、前記モード切替情報を含む前記通報を前記複数の端末装置へ送信させる
ことを特徴とする請求項２に記載の情報提供システム。
【請求項４】
前記モード選択部は、
前記マスタ装置によって、前記第２モードに切り替えられた場合に、前記第２モードから前記第１モードにする選択、及び前記第１モードから前記第２モードに戻す選択を許可し、
前記マスタ装置によって、前記第１モードに切り替えられた場合に、当該モードの選択を禁止する
ことを特徴とする請求項３に記載の情報提供システム。
【請求項５】
前記通報は、前記複数の端末装置の各々に同時に通報する同時通報である
ことを特徴とする請求項１から請求項４のいずれか一項に記載の情報提供システム。
【請求項６】
解説を表す解説コンテンツを決定する決定部と、
前記解説コンテンツと、前記解説コンテンツが決定されたときに配信されていた映像の再生時点を示す再生時点情報と、を対応付けて、コンテンツ対応情報として記憶部に記憶させるコンテンツ制御部と、
を備え、
前記端末表示部は、自装置のユーザが前記解説コンテンツを選択した場合、前記コンテンツ対応情報に基づいて、対応する前記再生時点情報が示す再生時点の映像を表示する
ことを特徴とする請求項１から請求項５のいずれか一項に記載の情報提供システム。
【請求項７】
注文に関する情報を示す注文情報と、前記端末装置を識別する端末識別情報とが対応付けられた注文端末情報を記憶する注文情報記憶部を備え、
前記端末制御部は、前記マスタ装置のユーザが前記注文情報を示す操作子を選択した場合、前記注文端末情報に基づいて、当該注文情報に対応する端末識別情報を抽出し、抽出した前記端末識別情報が示す前記端末装置へ、前記選択映像情報を含む通報を送信させ、
前記端末識別情報が示す前記端末装置の前記端末表示部は、
前記通報に基づいて、前記選択映像情報が示す映像を表示する
ことを特徴とする請求項１から請求項５のいずれか一項に記載の情報提供システム。
【請求項８】
前記マスタ装置は、
前記注文情報が示す注文品の生産工程の各々と、前記生産工程の解説コンテンツと、が前記生産工程の順に対応付けられたコンテンツ対応情報を記憶するコンテンツ記憶部と、
前記生産工程を選択する工程選択部と、
を備え、
前記端末表示部は、前記コンテンツ対応情報に基づいて、前記工程選択部によって選択された前記生産工程に対応する前記解説コンテンツを表示する
ことを特徴とする請求項７に記載の情報提供システム。
【請求項９】
前記コンテンツ記憶部は、前記生産工程の各々と、生産方法を示す生産方法コンテンツと、前記解説コンテンツとが対応付けられた前記コンテンツ対応情報を記憶し、
前記端末装置の各々の前記端末表示部は、自装置のユーザが前記解説コンテンツを選択している状態において、前記マスタ装置において前記生産方法コンテンツの少なくとも１つが選択された場合、前記コンテンツ対応情報に基づいて、前記解説コンテンツの少なくとも１つを表示する
ことを特徴とする請求項８に記載の情報提供システム。
【請求項１０】
複数の端末装置とマスタ装置とを備える情報提供システムの情報提供方法であって、
前記マスタ装置が、第１の映像と第２の映像とを取得する映像取得ステップと、
前記マスタ装置が、前記マスタ装置のユーザからの要求に基づいて、前記第１の映像又は前記第２の映像を選択するマスタ選択ステップと、
前記マスタ装置が、選択された映像を示す選択映像情報を含む通報を送信する通信ステップと、
前記複数の端末装置が、前記通報を受信する受信ステップと、
前記複数の端末装置が、前記通報に基づいて、前記選択映像情報が示す映像を表示する端末表示ステップと
を含むことを特徴とする情報提供方法。
【発明の詳細な説明】
【技術分野】
【０００１】
本発明は、情報提供システム、及び情報提供方法に関する。
【背景技術】
【０００２】
近年、鑑劇や芸術鑑賞、観光などにおいて、関連情報を表示する端末装置を備える情報提供システムが知られている（例えば、特許文献１を参照）。
【先行技術文献】
【特許文献】
【０００３】
【特許文献１】特開２００５−１０７６８０号公報
【発明の概要】
【発明が解決しようとする課題】
【０００４】
上述のような情報提供システムでは、例えば、観劇において台詞や舞台の解説情報などの事前に用意された情報を端末装置に表示するが、例えば、観劇者とは異なる位置から観劇した映像や舞台の一部を拡大して確認できる映像などリアルタイムに映像を表示するものではなかった。
【０００５】
本発明は、上記問題を解決すべくなされたもので、その目的は、利便性を向上させることができる情報提供システム、及び情報提供方法を提供することにある。
【課題を解決するための手段】
【０００６】
上記問題を解決するために、本発明の一態様は、複数の端末装置とマスタ装置とを備える情報提供システムであって、前記マスタ装置は、第１の映像と第２の映像とを取得する映像取得部と、前記マスタ装置のユーザからの要求に基づいて、前記第１の映像又は前記第２の映像を選択するマスタ選択部と、選択された映像を示す選択映像情報を含む通報を前記端末装置へ送信させる端末制御部と、を備え、前記複数の端末装置は、前記通報を受信する受信部と、前記通報に基づいて、前記選択映像情報が示す映像を表示する端末表示部とを備えることを特徴とする情報提供システムである。
【０００７】
また、本発明の一態様は、上記の情報提供システムにおいて、前記複数の端末装置の各々は、第１モードと第２モードとのいずれかを選択するモード選択部を備え、前記端末表示部は、前記第１モードにおいて、自装置のユーザが選択した前記第１の映像又は前記第２の映像を表示し、前記第２モードにおいて、前記通報に基づいて、前記選択映像情報が示す映像を表示することを特徴とする。
【０００８】
また、本発明の一態様は、上記の情報提供システムにおいて、前記マスタ装置は、前記複数の端末装置における前記第１モードと前記第２モードとを切り替えるモード切替情報を生成する生成部を備え、前記端末制御部は、前記モード切替情報を含む前記通報を前記複数の端末装置へ送信させることを特徴とする。
【０００９】
また、本発明の一態様は、上記の情報提供システムにおいて、前記モード選択部は、前記マスタ装置によって、前記第２モードに切り替えられた場合に、前記第２モードから前記第１モードにする選択、及び前記第１モードから前記第２モードに戻す選択を許可し、前記マスタ装置によって、前記第１モードに切り替えられた場合に、当該モードの選択を禁止することを特徴とする。
【００１０】
また、本発明の一態様は、上記の情報提供システムにおいて、前記通報は、前記複数の端末装置の各々に同時に通報する同時通報であることを特徴とする。
【００１１】
また、本発明の一態様は、上記の情報提供システムにおいて、解説を表す解説コンテンツを決定する決定部と、前記解説コンテンツと、前記解説コンテンツが決定されたときに配信されていた映像の再生時点を示す再生時点情報と、を対応付けて、コンテンツ対応情報として記憶部に記憶させるコンテンツ制御部と、を備え、前記端末表示部は、自装置のユーザが前記解説コンテンツを選択した場合、前記コンテンツ対応情報に基づいて、対応する前記再生時点情報が示す再生時点の映像を表示することを特徴とする。
【００１２】
また、本発明の一態様は、上記の情報提供システムにおいて、注文に関する情報を示す注文情報と、前記端末装置を識別する端末識別情報とが対応付けられた注文端末情報を記憶する注文情報記憶部を備え、前記端末制御部は、前記マスタ装置のユーザが前記注文情報を示す操作子を選択した場合、前記注文端末情報に基づいて、当該注文情報に対応する端末識別情報を抽出し、抽出した前記端末識別情報が示す前記端末装置へ、前記選択映像情報を含む通報を送信させ、前記端末識別情報が示す前記端末装置の前記端末表示部は、前記通報に基づいて、前記選択映像情報が示す映像を表示することを特徴とする。
【００１３】
また、本発明の一態様は、上記の情報提供システムにおいて、前記マスタ装置は、前記注文情報が示す注文品の生産工程の各々と、前記生産工程の解説コンテンツと、が前記生産工程の順に対応付けられたコンテンツ対応情報を記憶するコンテンツ記憶部と、前記生産工程を選択する工程選択部と、を備え、前記端末表示部は、前記コンテンツ対応情報に基づいて、前記工程選択部によって選択された前記生産工程に対応する前記解説コンテンツを表示することを特徴とする。
【００１４】
また、本発明の一態様は、上記の情報提供システムにおいて、前記コンテンツ記憶部は、前記生産工程の各々と、生産方法を示す生産方法コンテンツと、前記解説コンテンツとが対応付けられた前記コンテンツ対応情報を記憶し、前記端末装置の各々の前記端末表示部は、自装置のユーザが前記解説コンテンツを選択している状態において、前記マスタ装置において前記生産方法コンテンツの少なくとも１つが選択された場合、前記コンテンツ対応情報に基づいて、前記解説コンテンツの少なくとも１つを表示することを特徴とする。
【００１５】
また、本発明の一態様は、複数の端末装置とマスタ装置とを備える情報提供システムの情報提供方法であって、前記マスタ装置が、第１の映像と第２の映像とを取得する映像取得ステップと、前記マスタ装置が、前記マスタ装置のユーザからの要求に基づいて、前記第１の映像又は前記第２の映像を選択するマスタ選択ステップと、前記マスタ装置が、選択された映像を示す選択映像情報を含む通報を送信する通信ステップと、前記複数の端末装置が、前記通報を受信する受信ステップと、前記複数の端末装置が、前記通報に基づいて、前記選択映像情報が示す映像を表示する端末表示ステップとを含むことを特徴とする情報提供方法である。
【発明の効果】
【００１６】
本発明によれば、利便性を向上させることができる。
【図面の簡単な説明】
【００１７】
【図１】第１の実施形態による情報提供システムの一例を示すブロック図である。
【図２】第１の実施形態におけるコンテンツ記憶部のデータ例を示す図である。
【図３】第１の実施形態による情報提供システムの輝度調整処理及びコンテンツの表示処理の一例を示す図である。
【図４】第１の実施形態による情報提供システムのモード切替処理の一例を示す図である。
【図５】第１の実施形態による端末装置の動作の一例を示すフローチャートである。
【図６】第２の実施形態による情報提供システムの一例を示すブロック図である。
【図７】第２の実施形態におけるコンテンツ記憶部のデータ例を示す図である。
【図８】第２の実施形態による情報提供システムのコンテンツの表示処理の一例を示す図である。
【図９】第２の実施形態による端末装置のコンテンツの選択処理の一例を示すフローチャートである。
【図１０】第２の実施形態による端末装置のスクロール処理の一例を示すフローチャートである。
【図１１】第２の実施形態におけるコンテンツ記憶部のデータ例の別の一例を示す図である。
【図１２】第３の実施形態による情報提供システムの一例を示すブロック図である。
【図１３】第３の実施形態におけるコンテンツ記憶部のデータ例を示す図である。
【図１４】第３の実施形態における観光地情報記憶部のデータ例を示す図である。
【図１５】第３の実施形態による情報提供システムのコンテンツの表示処理の一例を示す図である。
【図１６】第４の実施形態による情報提供システムの一例を示すブロック図である。
【図１７】第４の実施形態におけるコンテンツ記憶部のデータ例を示す図である。
【図１８】第４の実施形態における競技解説記憶部のデータ例を示す図である。
【図１９】第４の実施形態による情報提供システムのコンテンツの表示処理の一例を示す図である。
【図２０】第５の実施形態による情報提供システムの一例を示すブロック図である。
【図２１】第５の実施形態における映像情報記憶部のデータ例を示す図である。
【図２２】第５の実施形態におけるコンテンツ記憶部のデータ例を示す図である。
【図２３】第５の実施形態による情報提供システムのコンテンツの表示処理の一例を示す図である。
【図２４】第６の実施形態による情報提供システムの一例を示すブロック図である。
【図２５】第６の実施形態における注文情報記憶部のデータ例を示す図である。
【図２６】第６の実施形態におけるコンテンツ記憶部のデータ例を示す図である。
【図２７】第７の実施形態による情報提供システムの一例を示すブロック図である。
【図２８】第７の実施形態における席画像情報記憶部のデータ例を示す図である。
【図２９】第７の実施形態における分割画像記憶部のデータ例を示す図である。
【図３０】第７の実施形態における端末情報記憶部のデータ例を示す図である。
【図３１】第７の実施形態による情報提供システムのコレオグラフィーの表示処理の一例を示す図である。
【図３２】第８の実施形態による情報提供システムの一例を示すブロック図である。
【図３３】第８の実施形態による情報提供システムのコレオグラフィーの表示処理の一例を示す図である。
【発明を実施するための形態】
【００１８】
以下、本発明の一実施形態による情報提供システムについて、図面を参照して説明する。
【００１９】
［第１の実施形態］
図１は、第１の実施形態による情報提供システム１００の一例を示すブロック図である。
図１に示すように、情報提供システム１００は、マスタ装置１と、複数の端末装置（２−１、２−２、・・・）と、サーバ装置３とを備える。マスタ装置１と、複数の端末装置（２−１、２−２、・・・）と、サーバ装置３とは、ネットワークＮＷ１に接続可能である。
【００２０】
本実施形態では、情報提供システム１００が、例えば、観劇などにおいて、演劇中の台詞や舞台の解説情報などを、観劇者（観客）に提供する場合の一例について説明する。
また、本実施形態において、複数の端末装置（２−１、２−２、・・・）のそれぞれは、同様の構成であり、情報提供システム１００が備える任意の端末装置を示す場合、又は特に区別しない場合には、端末装置２として説明する。
【００２１】
マスタ装置１は、複数の端末装置２に情報を提供する親機装置であり、例えば、タブレット端末装置などである。マスタ装置１は、演劇の主催者（劇場のスタッフなど）によって使用される。また、マスタ装置１は、無線通信部１１と、マスタ入力部１２と、マスタ表示部１３と、マスタ記憶部１４と、マスタ制御部１５とを備えている。
【００２２】
無線通信部１１（通信部の一例）は、例えば、無線ＬＡＮ（Local Area Network）や移動体通信などを利用して、ネットワークＮＷ１に接続可能であり、例えば、サーバ装置３、又は端末装置２との間で通信を行う。
マスタ入力部１２は、例えば、タッチパネルなどの入力装置であり、ユーザ（例えば、主催者）からの各種入力を受け付ける。マスタ入力部１２は、例えば、端末装置２の画面表示のスクロール、ページ送り（ページめくり）や輝度調整の設定などの操作を受け付ける。
【００２３】
マスタ表示部１３（表示部の一例）は、例えば、液晶ディスプレイであり、各種操作画面や、後述する台詞や解説などの端末装置２を介して観劇者に提供するコンテンツ（情報）を表示する。マスタ表示部１３は、例えば、台詞や解説などのコンテンツを、演劇の進行順に表示する。
【００２４】
マスタ記憶部１４（記憶部の一例）は、マスタ装置１が利用する各種データを記憶する。マスタ記憶部１４は、コンテンツ記憶部１４１と、制御情報記憶部１４２と、表示位置記憶部１４３とを備えている。
【００２５】
コンテンツ記憶部１４１は、複数のコンテンツを演劇の進行順に記憶する。コンテンツには、例えば、台詞や舞台に関する解説などが含まれる。ここで、図２を参照して、本実施形態におけるコンテンツ記憶部１４１のデータ例について説明する。
【００２６】
図２は、本実施形態におけるコンテンツ記憶部１４１のデータ例を示す図である。
図２に示すように、コンテンツ記憶部１４１は、「コンテンツＮＯ」と、「コンテンツ」と、「画面輝度値」とを対応付けて記憶する。ここで、「コンテンツＮＯ」は、例えば、コンテンツの進行順番（シーケンス番号）を示し、「コンテンツ」は、コンテンツの一例である台詞を示している。また、「画面輝度値」は、端末装置２の画面の輝度を調整（制御）する場合の輝度値（制御情報）を示している。
【００２７】
例えば、図２に示す例では、「コンテンツＮＯ」が“１”の「コンテンツ」は、“台詞Ａ”であり、「画面輝度値」は、“−”であり、端末装置２の画面の輝度の制御は行わないことを示している。また、「コンテンツＮＯ」が“２”の「コンテンツ」は、“台詞Ｂ”であり、「画面輝度値」は、“０”であり、例えば、“台詞Ｂ”のシーンが、暗転などの暗いシーンであり、端末装置２の画面の輝度を暗くする制御を行うことを示している。このように、コンテンツ記憶部１４１は、複数のコンテンツの少なくとも１つに、端末制御情報を対応付けて記憶する。
【００２８】
図１の説明に戻り、制御情報記憶部１４２は、現在設定されている端末装置２の画面を制御するための端末制御情報を記憶する。ここで、端末制御情報には、端末装置２の画面の輝度設定（明るさの設定）などの情報が含まれる。
表示位置記憶部１４３は、設定されたコンテンツの表示位置（スクロール位置、ページ位置など）を示す表示位置情報を記憶する。
【００２９】
マスタ制御部１５は、例えば、ＣＰＵ（Central Processing Unit）などを含むプロセッサであり、マスタ装置１を統括的に制御する。マスタ制御部１５は、制御情報生成部１５１と、端末制御部１５２と、表示位置選択部１５３と、表示制御部１５４と、コンテンツ制御部１５５とを備えている。
【００３０】
制御情報生成部１５１（生成部の一例）は、複数の端末装置２の画面の明るさを設定する端末制御情報を生成する。また、制御情報生成部１５１は、例えば、表示位置選択部１５３によって、コンテンツが選択された場合に、選択されたコンテンツに対応付けられた端末制御情報を生成（取得）する。制御情報生成部１５１は、生成した端末制御情報を制御情報記憶部１４２に記憶させる。
また、制御情報生成部１５１は、後述する端末装置２の解除モード（第１モード）と強制モード（第２モード）とを切り替えるモード切替情報を生成する。
【００３１】
ここで、端末装置２の解除モード（第１モード）において、端末装置２のユーザ（例えば、観劇者）が、画面の明るさの変更や、コンテンツの表示の操作が可能なモードである。また、端末装置２の強制モード（第２モード）は、強制的にマスタ装置１による設定に同期される同期モードであり、端末装置２のユーザ（例えば、観劇者）が、画面の明るさの変更や、コンテンツの表示の操作が不可能なモードである。
【００３２】
端末制御部１５２は、制御情報生成部１５１が生成した端末制御情報を含む同時通報を端末装置２に向けて送信させる制御を行う。端末制御部１５２は、例えば、無線通信部１１に対して、端末制御情報を含む通報を、ネットワークＮＷ１を介して、サーバ装置３に送信し、サーバ装置３に、端末制御情報を含む同時通報を複数の端末装置２へ送信させる。また、端末制御部１５２は、端末制御情報と同様に、制御情報生成部１５１が生成したモード切替情報を含む同時通報を複数の端末装置２へ送信させる。また、端末制御部１５２は、後述する表示位置選択部１５３によって選択されたコンテンツを示す情報と端末制御情報とを含む同時通報を複数の端末装置２へ送信させる。
【００３３】
表示位置選択部１５３（選択部の一例）は、マスタ表示部１３に表示されたコンテンツを選択する。例えば、表示位置選択部１５３は、コンテンツ記憶部１４１が記憶する進行順の複数のコンテンツのうち、マスタ入力部１２によって受け付けた（指定された）コンテンツ（表示位置）を選択する。ここで、選択されたコンテンツ（表示位置）には、選択されたコンテンツを表示するスクロール位置、選択されたコンテンツを表示するページ位置などが含まれる。表示位置選択部１５３は、選択されたコンテンツ（表示位置）を示す表示位置情報を表示位置記憶部１４３に記憶させる。
【００３４】
表示制御部１５４は、各種操作画面や、後述する台詞や解説などの端末装置２を介して観劇者に提供するコンテンツ（情報）などを、マスタ表示部１３に表示させる。なお、表示制御部１５４は、例えば、端末装置２と同期させて、コンテンツのスクロールやページ送り（ページめくり）をするために、端末装置２と同様にコンテンツを、マスタ表示部１３に表示させる。
【００３５】
コンテンツ制御部１５５は、マスタ入力部１２による操作に応じて、端末装置２に表示させる（提供する）コンテンツの登録、編集、削除などの制御を行う。コンテンツ制御部１５５は、図２に示すように、「コンテンツＮＯ」と、「コンテンツ」と、「画面輝度値」とを対応付けて記憶させる。
【００３６】
端末装置２は、例えば、タブレット端末装置などであり、観劇者（観客）によって使用される子機装置である。端末装置２は、演劇（講演）の間、例えば、観劇者（観客）に貸与され、演劇の台詞や解説などのコンテンツを表示する。なお、端末装置２は、専用アプリケーションを起動させることによって、演劇の台詞や解説などのコンテンツを表示するようにしてもよいし、ブラウザを起動させて、サーバ装置３にアクセスすることで、演劇の台詞や解説などのコンテンツを表示するようにしてもよい。本実施形態では、一例として、端末装置２が、専用アプリケーションを起動させることによって、演劇の台詞や解説などのコンテンツを表示する場合について説明する。
また、端末装置２は、無線通信部２１と、端末入力部２２と、端末表示部２３と、端末記憶部２４と、端末制御部２５とを備えている。
【００３７】
無線通信部２１（受信部の一例）は、例えば、無線ＬＡＮ（Local Area Network）や移動体通信などを利用して、ネットワークＮＷ１に接続可能であり、例えば、サーバ装置３、又はマスタ装置１との間で通信を行う。無線通信部２１は、例えば、端末制御情報などを含む同時通報を受信する。
端末入力部２２は、例えば、タッチパネルなどの入力装置であり、ユーザ（例えば、観劇者）からの各種入力を受け付ける。端末入力部２２は、例えば、端末装置２の画面表示のスクロール、ページ送り（ページめくり）や輝度調整の設定などの操作を受け付ける。
【００３８】
端末表示部２３（表示部の一例）は、例えば、液晶ディスプレイであり、各種操作画面や、台詞や解説などのコンテンツ（情報）を表示する。端末表示部２３は、例えば、台詞や解説などのコンテンツを、演劇の進行順に表示する。
【００３９】
端末記憶部２４（記憶部の一例）は、端末装置２が利用する各種データを記憶する。端末記憶部２４は、コンテンツ記憶部２４１と、制御情報記憶部２４２と、モード情報記憶部２４３と、表示位置記憶部２４４とを備えている。
【００４０】
コンテンツ記憶部２４１は、複数のコンテンツを演劇の進行順に記憶し、例えば、図２に示す、コンテンツ記憶部１４１と同様である。コンテンツ記憶部２４１が記憶する情報は、ネットワークＮＷ１を介して、マスタ装置１のコンテンツ記憶部１４１から予め取得されているものとする。
制御情報記憶部２４２は、現在設定されている端末装置２の画面を制御するための端末制御情報を記憶する。ここで、端末制御情報には、端末装置２の画面の輝度設定などの情報が含まれる。
【００４１】
モード情報記憶部２４３は、端末装置２のモード情報の設定を記憶する。なお、端末装置２は、解除モード（第１モード）において、端末装置２のユーザ（例えば、観劇者）が、画面の明るさの変更や、コンテンツの表示の操作が可能である。また、端末装置２は、強制モード（第２モード）において、強制的にマスタ装置１による設定に同期され、端末装置２のユーザ（例えば、観劇者）が、画面の明るさの変更や、コンテンツの表示の操作が不可能である。例えば、端末装置２は、強制モードにおいて、端末装置２のユーザ（例えば、観劇者）が画面の明るさを変更不能にし、マスタ装置１からの同時通報に基づいて、画面の明るさを、端末制御情報が示す明るさに変更する。
【００４２】
表示位置記憶部２４４は、設定されたコンテンツの表示位置（スクロール位置、ページ位置など）を示す表示位置情報を記憶する。なお、表示位置記憶部２４４には、端末装置２が解除モードである場合に、観劇者の操作により端末入力部２２を介して設定された表示位置情報が記憶される。また、表示位置記憶部２４４には、端末装置２が強制モードである場合に、主催者の操作によりマスタ装置１により設定された表示位置情報が記憶される。
【００４３】
端末制御部２５は、例えば、ＣＰＵなどを含むプロセッサであり、端末装置２を統括的に制御する。端末制御部２５は、モード選択部２５１と、表示位置選択部２５２と、表示制御部２５３とを備えている。
【００４４】
モード選択部２５１は、解除モードと強制モードとのいずれかを選択する。モード選択部２５１は、例えば、観劇者の操作により端末入力部２２を介して受け付けたモード情報に基づいて解除モードと強制モードとのいずれかを選択する。モード選択部２５１は、選択したモード情報をモード情報記憶部２４３に記憶させる。
【００４５】
表示位置選択部２５２は、解除モードである場合に、コンテンツ記憶部２４１が記憶する進行順の複数のコンテンツのうち、端末入力部２２によって受け付けた（指定された）コンテンツ（表示位置）を示す表示位置情報を選択する。ここで、選択された表示位置情報には、選択されたコンテンツを表示するスクロール位置、選択されたコンテンツを表示するページ位置などが含まれる。表示位置選択部２５２は、選択された表示位置情報を表示位置記憶部２４４に記憶させる。
【００４６】
表示制御部２５３（変更部の一例）は、各種操作画面や、台詞や解説などのコンテンツ（情報）、等を、端末表示部２３に表示させる。表示制御部２５３は、例えば、表示位置記憶部２４４が記憶する表示位置情報に基づいて、コンテンツのスクロール、又はページ送りを行って、端末表示部２３に表示させる。
【００４７】
また、表示制御部２５３は、無線通信部２１を介して受信した端末制御情報を含む同時通報に基づいて、端末表示部２３の画面の明るさを、端末制御情報が示す明るさに変更する。例えば、表示制御部２５３は、解除モードにおいて、自装置（端末装置２）のユーザによって画面の明るさを変更可能とする。また、表示制御部２５３は、強制モードにおいて、自装置のユーザによる画面の明るさを変更不能にし、マスタ装置１からの同時通報に基づいて、画面の明るさを、端末制御情報が示す明るさに変更する。
【００４８】
なお、表示制御部２５３は、例えば、コンテンツが、専用アプリケーションによって表示される場合に、画面のバックライト（端末表示部２３のバックライト）の輝度を変更して、画面の明るさを、端末制御情報が示す明るさに変更する。
また、表示制御部２５３は、例えば、強制モードにおける端末制御情報が示す明るさと、解除モードで観劇者（ユーザ）に設定された明るさと、を比較し、端末制御情報が示す明るさが、解除モードで観劇者に設定された明るさよりも低い場合に、画面の明るさを、端末制御情報が示す明るさに変更するようにしてもよい。
【００４９】
サーバ装置３は、例えば、マイクロサーバであり、無線ＬＡＮ用の不図示のエアポートを介して、ネットワークＮＷ１に接続可能である。サーバ装置３は、マスタ装置１からの要求により、複数の端末装置２に、同時通報（例えば、ブロードキャスト通信）を送信する。サーバ装置３は、ＮＷ（ネットワーク）通信部３１と、サーバ記憶部３２と、サーバ制御部３３とを備えている。
【００５０】
ＮＷ通信部３１は、ネットワークＮＷ１に接続可能なインターフェース部であり、マスタ装置１及び複数の端末装置２との間で通信する。
サーバ記憶部３２は、端末装置２が利用する各種データを記憶する。サーバ記憶部３２は、例えば、マスタ装置１からＮＷ通信部３１を介して受信したデータを記憶する。
サーバ制御部３３は、ＣＰＵなどを含むプロセッサであり、サーバ装置３を統括的に制御する。サーバ制御部３３は、例えば、端末制御情報やモード切替情報を含むデータを、ＮＷ通信部３１を介して受信した場合に、当該端末制御情報やモード切替情報を含む同時通報を、ＮＷ通信部３１を介して、複数の端末装置２に送信する。
【００５１】
次に、図面を参照して、本実施形態による情報提供システム１００の動作について説明する。
図３は、本実施形態による情報提供システム１００の輝度調整処理及びコンテンツの表示処理の一例を示す図である。なお、図３に示す例では、端末装置２は、予め強制モードにされているものとする。
【００５２】
図３において、まず、主催者Ｕ１が、マスタ装置１に対して、端末装置２の画面の明るさの調整操作を行う（ステップＳ１０１）。すなわち、主催者Ｕ１が、マスタ装置１のマスタ入力部１２を操作することにより、端末装置２の画面の明るさを設定する。
【００５３】
次に、マスタ装置１は、端末制御情報を生成する（ステップＳ１０２）。マスタ装置１の制御情報生成部１５１は、マスタ入力部１２を介して主催者Ｕ１から指定された画面の明るさに対応する端末制御情報を生成する。制御情報生成部１５１は、生成した端末制御情報を制御情報記憶部１４２に記憶させる。
【００５４】
次に、マスタ装置１は、端末制御情報（輝度変更）をサーバ装置３に送信する（ステップＳ１０３）。マスタ装置１の端末制御部１５２は、無線通信部１１を介して、サーバ装置３に端末制御情報（輝度変更）を送信し、サーバ装置３に、端末制御情報を含む同時通報を送信させる。
【００５５】
次に、サーバ装置３は、端末制御情報を保存する（ステップＳ１０４）。サーバ装置３のサーバ制御部３３は、ＮＷ通信部３１を介して、マスタ装置１から端末制御情報を受信し、受信した端末制御情報をサーバ記憶部３２に記憶させる。
【００５６】
次に、サーバ装置３は、同時通報を端末装置２に送信する（ステップＳ１０５）。サーバ制御部３３は、サーバ記憶部３２が記憶する端末制御情報を含む同時通報を生成し、当該同時通報を、ＮＷ通信部３１を介して、全ての端末装置２に送信（例えば、ブロードキャスト通信により送信）する。
【００５７】
次に、端末装置２は、画面の明るさを変更する（ステップＳ１０６）。端末装置２の表示制御部２５３は、無線通信部２１を介して、同時通報を受信し、当該同時通報に含まれる端末制御情報（輝度値）に基づいて、端末表示部２３の画面の明るさを変更する。すなわち、端末装置２は、主催者Ｕ１によって、マスタ装置１から設定された画面の明るさに変更する。
【００５８】
また、主催者Ｕ１が、マスタ装置１に対して、台詞（コンテンツ）の選択操作を行う（ステップＳ１１０）。すなわち、主催者Ｕ１が、マスタ装置１のマスタ入力部１２を操作することにより、表示位置選択部１５３が、台詞の表示位置の選択を行う。
【００５９】
次に、マスタ装置１は、端末制御情報、及び表示位置情報を生成する（ステップＳ１１１）。制御情報生成部１５１は、表示位置選択部１５３によって、台詞が選択された場合に、選択された台詞に対応付けられた端末制御情報を生成（取得）する。すなわち、制御情報生成部１５１は、コンテンツ記憶部２４１を参照して、選択された台詞に対応付けられた端末制御情報を取得する。なお、表示位置情報は、例えば、図２に示す「コンテンツＮＯ」などである。制御情報生成部１５１は、生成した端末制御情報を制御情報記憶部１４２に記憶させ、表示位置情報を表示位置記憶部１４３に記憶させる。
【００６０】
次に、マスタ装置１は、端末制御情報、及び表示位置情報をサーバ装置３に送信する（ステップＳ１１２）。端末制御部１５２は、無線通信部１１を介して、サーバ装置３に端末制御情報及び表示位置情報を送信し、サーバ装置３に、端末制御情報及び表示位置情報を含む同時通報を送信させる。
【００６１】
次に、サーバ装置３は、端末制御情報、及び表示位置情報を保存する（ステップＳ１１３）。サーバ制御部３３は、ＮＷ通信部３１を介して、マスタ装置１から端末制御情報、及び表示位置情報を受信し、受信した端末制御情報、及び表示位置情報をサーバ記憶部３２に記憶させる。
【００６２】
次に、サーバ装置３は、同時通報を端末装置２に送信する（ステップＳ１１４）。サーバ制御部３３は、サーバ記憶部３２が記憶する端末制御情報、及び表示位置情報を含む同時通報を生成し、当該同時通報を、ＮＷ通信部３１を介して、全ての端末装置２に送信（例えば、ブロードキャスト通信により送信）する。
【００６３】
次に、端末装置２は、台詞の表示位置を変更する（ステップＳ１１５）。表示制御部２５３は、無線通信部２１を介して、同時通報を受信し、当該同時通報に含まれる表示位置情報に基づいて、台詞の表示位置を変更する。すなわち、表示制御部２５３は、マスタ装置１の操作に合わせて、スクロール、ページ送り（ページめくり）などを行う。また、表示制御部２５３は、同時通報に含まれる端末制御情報（輝度値）に基づいて、台詞に対応付けられた画面の明るさに、端末表示部２３を変更する。
【００６４】
次に、図４を参照して、本実施形態による情報提供システム１００のモード切替処理について説明する。
図４は、本実施形態による情報提供システム１００のモード切替処理の一例を示す図である。
【００６５】
図４において、まず、主催者Ｕ１が、マスタ装置１に対して、端末装置２のモード切替操作を行う（ステップＳ１２０）。すなわち、主催者Ｕ１が、マスタ装置１のマスタ入力部１２を操作することにより、端末装置２のモード切替を設定する。
【００６６】
次に、マスタ装置１は、モード切替情報を生成する（ステップＳ１２１）。制御情報生成部１５１は、マスタ入力部１２を介して主催者Ｕ１から指定されたモード切替の設定に対応するモード切替情報を生成する。
【００６７】
次に、マスタ装置１は、モード切替情報をサーバ装置３に送信する（ステップＳ１２２）。端末制御部１５２は、無線通信部１１を介して、サーバ装置３にモード切替情報を送信し、サーバ装置３に、モード切替情報を含む同時通報を送信させる。
【００６８】
次に、サーバ装置３は、同時通報を端末装置２に送信する（ステップＳ１２３）。サーバ制御部３３は、サーバ記憶部３２が記憶するモード切替情報を含む同時通報を生成し、当該同時通報を、ＮＷ通信部３１を介して、全ての端末装置２に送信（例えば、ブロードキャスト通信により送信）する。
【００６９】
次に、端末装置２は、モードを変更する（ステップＳ１２４）。表示制御部２５３は、無線通信部２１を介して、同時通報を受信し、当該同時通報に含まれるモード切替情報に基づいて、解除モードと強制モードとのいずれかのモードに変更する。すなわち、端末装置２は、主催者Ｕ１によって、マスタ装置１から設定されたモードに変更する。
【００７０】
次に、図５を参照して、本実施形態の端末装置２におけるモード切替処理について説明する。
図５は、本実施形態による端末装置２の動作の一例を示すフローチャートである。
図５において、端末装置２の端末制御部２５（モード選択部２５１）は、モード切替があるか否かを判定する（ステップＳ１３０）。モード選択部２５１は、端末入力部２２によって、観劇者によるモード切替の操作があるか否か、及び、モード切替情報を含む同時通報受信したか否かを判定する。モード選択部２５１は、モード切替がある場合（ステップＳ１３０：ＹＥＳ）に、処理をステップＳ１３１に進める。また、モード選択部２５１は、モード切替がない場合（ステップＳ１３０：ＮＯ）に、処理をステップＳ１３０に戻す。
【００７１】
ステップＳ１３１において、モード選択部２５１は、強制モードが選択されたか否かを判定する。モード選択部２５１は、強制モードが選択された場合（ステップＳ１３１：ＹＥＳ）に、処理をステップＳ１３２に進める。また、モード選択部２５１は、強制モードが選択されていない場合（ステップＳ１３１：ＮＯ）に、処理をステップＳ１３３に進める。
【００７２】
ステップＳ１３２において、モード選択部２５１は、観劇者（観客）による端末装置２の操作を禁止する。すなわち、モード選択部２５１は、強制モードを選択したモード情報をモード情報記憶部２４３に記憶させて、観劇者による輝度調整や画面のスクロール、及びページ送りなどの端末装置２の操作を禁止にする。モード選択部２５１は、ステップＳ１３２の処理後に、処理をステップＳ１３０に戻す。
【００７３】
また、ステップＳ１３３において、モード選択部２５１は、解除モードが選択されたか否かを判定する。モード選択部２５１は、解除モードが選択された場合（ステップＳ１３３：ＹＥＳ）に、処理をステップＳ１３４に進める。また、モード選択部２５１は、解除モードが選択されていない場合（ステップＳ１３３：ＮＯ）に、処理をステップＳ１３０に戻す。
【００７４】
ステップＳ１３４において、モード選択部２５１は、観劇者（観客）による端末装置２の操作を許可する。すなわち、モード選択部２５１は、解除モードを選択したモード情報をモード情報記憶部２４３に記憶させて、観劇者による輝度調整や画面のスクロール、及びページ送りなどの端末装置２の操作を許可にする。モード選択部２５１は、ステップＳ１３４の処理後に、処理をステップＳ１３０に戻す。
【００７５】
なお、上述した本実施形態の一例では、専用アプリケーションを起動させることによって、表示制御部２５３は、演劇の台詞や解説などのコンテンツを表示する例を説明したが、ブラウザを起動させて、サーバ装置３にアクセスすることで、演劇の台詞や解説などのコンテンツを表示するようにしてもよい。この場合、サーバ装置３は、ウェブサーバとして機能し、例えば、ＷｅｂＳｏｃｋｅｔの双方向通信技術を利用して、マスタ装置１と複数の端末装置２との間の通信を行う。
【００７６】
また、表示制御部２５３は、例えば、コンテンツが、端末装置２で起動されるブラウザによって表示される場合に、スタイルシートの明るさを示す値（例えば、ＣＳＳの「brightness」の値）に基づいて、画面の明るさを、端末制御情報が示す明るさに変更するようにしてもよい。また、表示制御部２５３は、例えば、コンテンツが、専用アプリケーションによって表示される場合に、画面のバックライト（端末表示部２３のバックライト）の輝度を変更して、画面の明るさを、端末制御情報が示す明るさに変更するようにしてもよい。
【００７７】
以上説明したように、本実施形態による情報提供システム１００は、複数の端末装置２とマスタ装置１とを備える。マスタ装置１は、制御情報生成部１５１（生成部）と、端末制御部１５２とを備える。制御情報生成部１５１は、複数の端末装置２の画面の明るさを設定する端末制御情報を生成する。端末制御部１５２は、端末制御情報を含む同時通報を送信させる。複数の端末装置２は、無線通信部２１（受信部）と、表示制御部２５３（変更部）とを備える。無線通信部２１は、端末制御情報を含む同時通報を受信する。表示制御部２５３（変更部）は、同時通報に基づいて、画面の明るさを、端末制御情報が示す明るさに変更する。
【００７８】
これにより、本実施形態による情報提供システム１００は、演劇の主催者が、マスタ装置１の操作することによって、複数の端末装置２の画面の明るさを演劇のシーンに応じた適切な明るさに変更することができる。そのため、本実施形態による情報提供システム１００では、端末装置２の画面の光が、舞台や他の観劇者の邪魔になることを低減することができ、利便性を向上させることができる。
【００７９】
また、本実施形態では、表示制御部２５３は、解除モード（第１モード）において、自装置（端末装置２）のユーザ（例えば、観劇者）によって画面の明るさを変更可能とする。また、表示制御部２５３は、強制モード（第２モード）において、自装置のユーザによる画面の明るさを変更不能にし、マスタ装置１からの同時通報に基づいて、画面の明るさを、端末制御情報が示す明るさに変更する。制御情報生成部１５１は、解除モードと強制モードとを切り替えるモード切替情報を生成する。端末制御部１５２は、モード切替情報を含む同時通報を複数の端末装置２へ送信させる。
【００８０】
これにより、本実施形態による情報提供システム１００は、強制モードにすることで、マスタ装置１から一斉に、複数の端末装置２の画面の明るさを変更することができるため、利便性をさらに向上させることができる。
また、本実施形態による情報提供システム１００は、解除モードにすることにより、観劇者が、台詞や解説のコンテンツを先読みしたり、既に終了した台詞や解説のコンテンツを見なおしたり（後戻り）することが可能になるため、利便性をさらに向上させることができる。
【００８１】
また、本実施形態では、表示制御部２５３は、強制モードにおける端末制御情報が示す明るさと、解除モードでユーザに設定された明るさと、を比較し、端末制御情報が示す明るさが、解除モードでユーザ（観劇者）に設定された明るさよりも低い場合に、画面の明るさを、端末制御情報が示す明るさに変更するようにしてもよい。
これにより、本実施形態による情報提供システム１００は、複数の端末装置２のうちの、画面の明るさを低くする必要のある端末装置２のみの、画面の明るさを変更できるため、無駄な変更をする必要がない。
【００８２】
また、本実施形態では、マスタ装置１は、コンテンツ記憶部１４１（記憶部）と、マスタ表示部１３（表示部）と、表示位置選択部１５３（選択部）とを備える。コンテンツ記憶部１４１は、複数のコンテンツを進行順に記憶する。マスタ表示部１３は、コンテンツを進行順に表示する。表示位置選択部１５３は、マスタ表示部１３に表示されたコンテンツを選択する。コンテンツ記憶部１４１は、複数のコンテンツの少なくとも１つに、端末制御情報を対応付けて記憶し、制御情報生成部１５１は、コンテンツが選択された場合に、選択されたコンテンツに対応付けられた端末制御情報を生成する。端末制御部１５２は、選択されたコンテンツを示す情報と端末制御情報とを含む同時通報を複数の端末装置２へ送信させる。
【００８３】
これにより、本実施形態による情報提供システム１００は、演劇のシーンに応じて、台詞や解説のコンテンツに対応させて、画面の明るさを適切に変更することができる。本実施形態による情報提供システム１００は、例えば、暗転のシーンでは、画面を消灯することが可能であり、演出に応じた適切な画面の明るさに変更することができる。
【００８４】
また、本実施形態では、表示制御部２５３は、コンテンツが、端末装置２で起動されるブラウザによって表示される場合に、スタイルシートの明るさを示す値に基づいて、画面の明るさを、端末制御情報が示す明るさに変更する。
これにより、本実施形態による情報提供システム１００は、ブラウザを利用した場合であっても、端末装置２の画面の明るさを適切に変更することができる。
なお、端末装置２で起動されるブラウザを利用する場合には、端末装置２は、専用アプリケーションをインストールする必要がなく、さらに利便性を向上させることができる。
【００８５】
また、本実施形態では、表示制御部２５３は、画面のバックライトの輝度を変更して、画面の明るさを、端末制御情報が示す明るさに変更する。
これにより、専用アプリケーションを利用する場合など、簡易な手法により、端末装置２の画面の明るさを適切に変更することができる。
【００８６】
また、本実施形態による情報提供方法は、複数の端末装置２とマスタ装置１とを備える情報提供システム１００の情報提供方法であって、生成ステップと、端末制御ステップと、受信ステップと、変更ステップとを含む。生成ステップにおいて、マスタ装置１が、複数の端末装置２の画面の明るさを設定する端末制御情報を生成する。端末制御ステップにおいて、マスタ装置１が、端末制御情報を含む同時通報を送信させる。受信ステップにおいて、複数の端末装置２が、同時通報を受信する。変更ステップにおいて、複数の端末装置２が、同時通報に基づいて、画面の明るさを、端末制御情報が示す明るさに変更する。
【００８７】
これにより、本実施形態による情報提供方法は、上述した情報提供システム１００と同様の効果を奏し、端末装置２の画面の光が、舞台や他の観劇者の邪魔になることを低減することができ、利便性を向上させることができる。
【００８８】
なお、上記の実施形態において、マスタ装置１から複数の端末装置２への通信を行う際に、サーバ装置３を経由する例を説明したが、サーバ装置３を経由させずに、マスタ装置１から複数の端末装置２へ直接通信するようにしてもよい。この場合、マスタ装置１は、複数の端末装置２に同時通報を直接送信するようにしてもよい。
【００８９】
［第２の実施形態］
次に、図面を参照して、第２の実施形態による情報提供システム１００ａについて説明する。
図６は、第２の実施形態による情報提供システム１００ａの一例を示すブロック図である。
【００９０】
図６に示すように、情報提供システム１００ａは、マスタ装置１ａと、複数の端末装置（２ａ−１、２ａ−２、・・・）と、サーバ装置３とを備える。マスタ装置１ａと、複数の端末装置（２ａ−１、２ａ−２、・・・）と、サーバ装置３とは、ネットワークＮＷ１に接続可能である。
【００９１】
本実施形態では、情報提供システム１００ａが、例えば、観劇などにおいて、演劇中の台詞、英語の台詞、舞台の解説情報などの複数種類のコンテンツを、観劇者（観客）に提供する場合の一例について説明する。
また、本実施形態において、複数の端末装置（２ａ−１、２ａ−２、・・・）のそれぞれは、同様の構成であり、情報提供システム１００ａが備える任意の端末装置を示す場合、又は特に区別しない場合には、端末装置２ａとして説明する。
なお、図６において、上述した図１と同一の構成は、同一の符号を付与して、その説明を省略する。
【００９２】
マスタ装置１ａは、複数の端末装置２ａに情報を提供する親機装置であり、例えば、タブレット端末装置などである。マスタ装置１ａは、演劇の主催者（劇場のスタッフなど）によって使用される。また、マスタ装置１ａは、無線通信部１１と、マスタ入力部１２と、マスタ表示部１３と、マスタ記憶部１４ａと、マスタ制御部１５ａとを備えている。
【００９３】
マスタ記憶部１４ａ（記憶部の一例）は、マスタ装置１ａが利用する各種データを記憶する。マスタ記憶部１４ａは、コンテンツ記憶部１４１ａと、制御情報記憶部１４２と、表示位置記憶部１４３とを備えている。
【００９４】
コンテンツ記憶部１４１ａは、複数のコンテンツを演劇の進行順に記憶し、第１種類のコンテンツの各々と第２種類のコンテンツの各々とが進行順に対応付けられたコンテンツ対応情報を記憶する。ここで、図７を参照して、本実施形態におけるコンテンツ記憶部１４１ａのデータ例について説明する。
【００９５】
図７は、本実施形態におけるコンテンツ記憶部１４１ａのデータ例を示す図である。
図７に示すように、コンテンツ記憶部１４１ａは、「コンテンツＮＯ」と、「台詞」と、「解説」とを対応付けたコンテンツ対応情報を記憶する。ここで、「コンテンツＮＯ」は、例えば、コンテンツの進行順番（シーケンス番号）を示し、「台詞」は、コンテンツの一例である日本語の台詞、英語の台詞などを示している。また、「解説」は、舞台や演劇に関する解説を示している。
【００９６】
例えば、図７に示す例では、「コンテンツＮＯ」が“１”の「台詞」は、“台詞Ａ”であり、「解説」は、“解説Ａ”であることを示している。また、「コンテンツＮＯ」が“２”の「台詞」は、“台詞Ｂ”であり、「解説」は、“解説Ｂ”であることを示している。
このように、第１種類のコンテンツは、進行時点での状況を表すコンテンツ（例えば、「台詞」）であり、第２種類のコンテンツは、状況での解説を表すコンテンツ（例えば、「解説」）である。また、コンテンツ対応情報は、状況と解説とを、進行順に対応付けた情報である。
【００９７】
図６の説明に戻り、マスタ制御部１５ａは、例えば、ＣＰＵなどを含むプロセッサであり、マスタ装置１ａを統括的に制御する。マスタ制御部１５ａは、制御情報生成部１５１と、端末制御部１５２ａと、表示位置選択部１５３と、表示制御部１５４ａと、コンテンツ制御部１５５とを備えている。
【００９８】
端末制御部１５２ａの基本的な機能は、上述した第１の実施形態の端末制御部１５２と同様であり、制御情報生成部１５１が生成した端末制御情報を含む同時通報を端末装置２ａに向けて送信させる制御を行う。また、端末制御部１５２ａは、表示位置を示す表示位置情報を含む同時通報を複数の端末装置２ａへ送信させる。
なお、本実施形態における表示位置選択部１５３（位置選択部の一例）は、スクロールされた位置に基づいて、「台詞」（第１種類のコンテンツ）における表示位置を選択する。
【００９９】
表示制御部１５４ａは、各種操作画面や、後述する台詞や解説などの端末装置２ａを介して観劇者に提供するコンテンツ（情報）などを、マスタ表示部１３に表示させる。なお、表示制御部１５４ａは、例えば、端末装置２ａと同期させて、コンテンツのスクロールやページ送り（ページめくり）をするために、端末装置２ａと同様にコンテンツを、マスタ表示部１３に表示させる。表示制御部１５４ａは、例えば、「台詞」（第１種類のコンテンツ）又は「解説」（第２種類のコンテンツ）の各々を、進行順序に従った位置に並べて、スクロール可能にマスタ表示部１３に表示させる。すなわち、マスタ表示部１３は、例えば、「台詞」（第１種類のコンテンツ）又は「解説」（第２種類のコンテンツ）の各々を、進行順序に従った位置に並べて、スクロール可能に表示する。
【０１００】
端末装置２ａは、例えば、タブレット端末装置などであり、観劇者（観客）によって使用される子機装置である。端末装置２ａは、演劇（講演）の間、例えば、観劇者（観客）に貸与され、演劇の台詞や解説などのコンテンツを表示する。なお、端末装置２ａは、専用アプリケーションを起動させることによって、演劇の台詞や解説などのコンテンツを表示するようにしてもよいし、ブラウザを起動させて、サーバ装置３にアクセスすることで、演劇の台詞や解説などのコンテンツを表示するようにしてもよい。本実施形態では、一例として、端末装置２ａが、専用アプリケーションを起動させることによって、演劇の台詞や解説などのコンテンツを表示する場合について説明する。
また、端末装置２ａは、無線通信部２１と、端末入力部２２と、端末表示部２３と、端末記憶部２４ａと、端末制御部２５ａとを備えている。
【０１０１】
端末記憶部２４ａ（記憶部の一例）は、端末装置２ａが利用する各種データを記憶する。端末記憶部２４ａは、コンテンツ記憶部２４１ａと、制御情報記憶部２４２と、モード情報記憶部２４３と、表示位置記憶部２４４と、選択コンテンツ記憶部２４５とを備えている。
【０１０２】
コンテンツ記憶部２４１ａは、複数のコンテンツを演劇の進行順に記憶し、例えば、図７に示す、コンテンツ記憶部１４１ａと同様である。コンテンツ記憶部２４１ａが記憶する情報は、ネットワークＮＷ１を介して、マスタ装置１ａのコンテンツ記憶部１４１ａから予め取得されているものとする。
選択コンテンツ記憶部２４５は、複数種類のコンテンツのうちの選択されているコンテンツを示す情報を記憶する。
【０１０３】
端末制御部２５ａは、例えば、ＣＰＵなどを含むプロセッサであり、端末装置２ａを統括的に制御する。端末制御部２５ａは、モード選択部２５１と、表示位置選択部２５２と、表示制御部２５３ａと、コンテンツ選択部２５４とを備えている。
【０１０４】
モード選択部２５１は、解除モードと強制モード（自動スクロールモード）とのいずれかを選択する。
表示制御部２５３ａは、各種操作画面や、台詞や解説などのコンテンツ（情報）、等を、端末表示部２３に表示させる。表示制御部２５３ａは、例えば、表示位置記憶部２４４が記憶する表示位置情報に基づいて、コンテンツのスクロール、又はページ送りを行って、端末表示部２３に表示させる。表示制御部２５３ａは、例えば、自装置（端末装置２ａ）のユーザ（観劇者）が選択した「台詞」（第１種類のコンテンツ）と「解説」（第２種類のコンテンツ）とのいずれかを端末表示部２３に表示させる。表示制御部２５３ａは、ユーザが解説を選択している状態において、マスタ装置１ａにおいて「台詞」の少なくとも１つが選択された場合、コンテンツ対応情報に基づいて、「解説」の少なくとも１つを、端末表示部２３に表示させる。
【０１０５】
また、表示制御部２５３ａは、同時通報に基づいて、表示位置情報に応じた表示位置に、「台詞」又は「解説」をスクロールして端末表示部２３に表示させる。なお、表示制御部２５３ａは、解除モードにおいて、自装置のユーザのスクロール操作に基づいて、「台詞」又は「解説」を端末表示部２３に表示させ、強制モード（自動スクロールモード）において、同時通報に基づいて、「台詞」又は「解説」をスクロールして端末表示部２３に表示させる。
【０１０６】
コンテンツ選択部２５４は、観劇者の操作により端末入力部２２を介して、端末装置２ａで表示させるコンテンツ（の種類）を選択する。コンテンツ選択部２５４は、複数種類のコンテンツのうちから選択されているコンテンツを示す情報を、選択コンテンツ記憶部２４５に記憶させる。
【０１０７】
次に、図面を参照して、本実施形態による情報提供システム１００ａの動作について説明する。
図８は、本実施形態による情報提供システム１００ａのコンテンツの表示処理の一例を示す図である。ここで、端末装置２ａでは、予めコンテンツの種類として、解説が選択されており、選択コンテンツ記憶部２４５は、解説を示す情報を記憶しているものとする。
【０１０８】
図８において、まず、主催者Ｕ１が、マスタ装置１ａに対して、「台詞」（第１種類のコンテンツ）の選択操作を行う（ステップＳ２０１）。すなわち、主催者Ｕ１が、マスタ装置１ａのマスタ入力部１２を操作することにより、表示位置選択部１５３が、「台詞」の表示位置の選択を行う。
【０１０９】
次に、マスタ装置１ａは、表示位置情報を生成する（ステップＳ２０２）。制御情報生成部１５１は、表示位置選択部１５３によって、「台詞」が選択された場合に、選択された「台詞」の位置情報を生成（取得）する。制御情報生成部１５１は、生成した表示位置情報を表示位置記憶部１４３に記憶させる。
【０１１０】
次に、マスタ装置１ａは、表示位置情報をサーバ装置３に送信する（ステップＳ２０３）。端末制御部１５２ａは、無線通信部１１を介して、サーバ装置３に表示位置情報を送信し、サーバ装置３に、表示位置情報を含む同時通報を送信させる。
【０１１１】
次に、サーバ装置３は、同時通報を端末装置２ａに送信する（ステップＳ２０４）。サーバ制御部３３は、マスタ装置１ａから受信した表示位置情報を含む同時通報を生成し、当該同時通報を、ＮＷ通信部３１を介して、全ての端末装置２ａに送信（例えば、ブロードキャスト通信により送信）する。
【０１１２】
次に、端末装置２ａは、「台詞」に対応する「解説」の表示位置を変更する（ステップＳ２０５）。表示制御部２５３ａは、無線通信部２１を介して、同時通報を受信し、当該同時通報に含まれる表示位置情報に基づいて、「台詞」に対応する「解説」の表示位置を変更する。すなわち、表示制御部２５３ａは、選択コンテンツ記憶部２４５が記憶する選択されているコンテンツを示す情報に基づいて、現在選択されているコンテンツの種類を特定し、当該コンテンツの種類（ここでは、「解説」）のコンテンツの表示位置を変更する。
【０１１３】
次に、図９を参照して、本実施形態による端末装置２ａのコンテンツの選択処理について説明する。
図９は、本実施形態による端末装置２ａのコンテンツの選択処理の一例を示すフローチャートである。
【０１１４】
図９において、端末装置２ａの端末制御部２５ａ（コンテンツ選択部２５４）は、コンテンツ切替があるか否かを判定する（ステップＳ２１０）。コンテンツ選択部２５４は、端末入力部２２によって、観劇者によるコンテンツ切替の操作があるか否かを判定する。コンテンツ選択部２５４は、コンテンツ切替がある場合（ステップＳ２１０：ＹＥＳ）に、処理をステップＳ２１１に進める。また、コンテンツ選択部２５４は、コンテンツ切替がない場合（ステップＳ２１０：ＮＯ）に、処理をステップＳ２１０に戻す。
【０１１５】
ステップＳ２１１において、コンテンツ選択部２５４は、「台詞」が選択されたか否かを判定する。コンテンツ選択部２５４は、「台詞」が選択された場合（ステップＳ２１１：ＹＥＳ）に、処理をステップＳ２１２に進める。また、コンテンツ選択部２５４は、「台詞」が選択されていない場合（ステップＳ２１１：ＮＯ）に、処理をステップＳ２１３に進める。
【０１１６】
ステップＳ２１２において、コンテンツ選択部２５４は、選択コンテンツ記憶部２４５に「台詞」を示す情報を記憶させる。コンテンツ選択部２５４は、ステップＳ２１２の処理後に、処理をステップＳ２１０に戻す。
【０１１７】
また、ステップＳ２１３において、コンテンツ選択部２５４は、解説が選択されたか否かを判定する。コンテンツ選択部２５４は、「解説」が選択された場合（ステップＳ２１３：ＹＥＳ）に、処理をステップＳ２１４に進める。また、コンテンツ選択部２５４は、「解説」が選択されていない場合（ステップＳ２１３：ＮＯ）に、処理をステップＳ２１０に戻す。
【０１１８】
ステップＳ２１４において、コンテンツ選択部２５４は、選択コンテンツ記憶部２４５に「解説」を示す情報を記憶させる。コンテンツ選択部２５４は、ステップＳ２１４の処理後に、処理をステップＳ２１０に戻す。
【０１１９】
次に、図１０を参照して、本実施形態による端末装置２ａのスクロール処理について説明する。
図１０は、本実施形態による端末装置２ａのスクロール処理の一例を示すフローチャートである。
【０１２０】
図１０において、端末装置２ａの端末制御部２５ａ（表示位置選択部２５２）は、表示位置変更があるか否かを判定する（ステップＳ２２０）。表示位置選択部２５２は、例えば、表示位置情報を含む同時通報受信したか否かを判定する。表示位置選択部２５２は、表示位置変更がある場合（ステップＳ２２０：ＹＥＳ）に、処理をステップＳ２２１に進める。また、表示位置選択部２５２は、表示位置変更がない場合（ステップＳ２２０：ＮＯ）に、処理をステップＳ２２２に進める。
【０１２１】
ステップＳ２２１において、表示位置選択部２５２は、受信した表示位置情報を表示位置記憶部２４４に記憶させる。
次に、ステップＳ２２２において、表示制御部２５３ａは、選択コンテンツ記憶部２４５が記憶する情報が示すコンテンツ（の種類）を、表示位置情報に基づいて、端末表示部２３に表示させる。表示制御部２５３ａは、選択コンテンツ記憶部２４５が記憶する選択されているコンテンツを示す情報に基づいて、現在選択されているコンテンツの種類を特定し、当該コンテンツの種類のコンテンツの表示位置を、表示位置記憶部２４４が記憶する表示位置情報に基づいて変更する。ステップＳ２２２の処理後に、表示制御部２５３ａは、処理をステップＳ２２０に戻す。
【０１２２】
また、図１１は、本実施形態におけるコンテンツ記憶部１４１ａのデータ例の別の一例を示す図である。
図１１に示すように、コンテンツ記憶部１４１ａは、「コンテンツＮＯ」と、「台詞」と、「解説」と、「表示制限情報」とを対応付けたコンテンツ対応情報を記憶する。ここで、「表示制限情報」は、例えば、コンテンツを端末装置２ａで表示可能であるか否かを示す情報である。例えば、「表示制限情報」が“０”である場合に、表示可能とし、「表示制限情報」が“１”である場合に、表示制限して表示禁止とする。
【０１２３】
このように、マスタ記憶部１４ａ（コンテンツ記憶部１４１ａ）は、マスタ装置１ａで選択されるコンテンツ毎に、当該コンテンツを端末装置２ａで表示可能であるか否かを示す表示制限情報を記憶する。そして、表示制御部２５３ａは、自装置のユーザのスクロール操作、マスタ装置１ａで選択されたコンテンツを示す情報、及び表示制限情報に基づいて、表示可能な「台詞」又は「解説」の各々を端末表示部２３に表示させる。すなわち、端末表示部２３は、自装置のユーザのスクロール操作、マスタ装置１ａで選択されたコンテンツを示す情報、及び表示制限情報に基づいて、表示可能な「台詞」又は「解説」の各々を表示する。
【０１２４】
なお、上述した本実施形態では、第１種類のコンテンツが「台詞」であり、第２種類のコンテンツが、「解説」である場合について説明したが、これに限定されるものではない。例えば、第１種類のコンテンツは、第１言語で記述されたコンテンツ（例えば、日本語の台詞など）であり、第２種類のコンテンツは、第２言語で記述されたコンテンツ（例えば、英語の台詞など）であってもよい。この場合、コンテンツ対応情報は、互いに翻訳された言語を、進行順に対応付けた情報である。
【０１２５】
以上説明したように、本実施形態による情報提供システム１００ａは、複数の端末装置２ａとマスタ装置１ａとを備える。なお、情報提供システム１００ａは、第１種類のコンテンツ（例えば、「台詞」）の各々と第２種類のコンテンツ（例えば、「解説」）の各々とが進行順に対応付けられたコンテンツ対応情報を記憶するコンテンツ記憶部１４１ａ（記憶部）を備える。そして、複数の端末装置２ａの各々は、端末表示部２３を備える。端末表示部２３は、自装置（端末装置２ａ）のユーザが選択した第１種類のコンテンツ（例えば、「台詞」）と第２種類のコンテンツ（例えば、「解説」）とのいずれかを表示する。端末表示部２３は、ユーザが第２種類のコンテンツ（例えば、「解説」）を選択している状態において、マスタ装置１ａにおいて第１種類のコンテンツ（例えば、「台詞」）の少なくとも１つが選択された場合、コンテンツ対応情報に基づいて、第２種類のコンテンツ（例えば、「解説」）の少なくとも１つを表示する。
これにより、本実施形態による情報提供システム１００ａは、異なる種類のコンテンツ間で同期を取って、端末装置２ａの端末表示部２３にコンテンツを表示するため、利便性を向上させることができる。
【０１２６】
また、本実施形態では、マスタ装置１ａは、マスタ表示部１３と、表示位置選択部１５３（位置選択部）と、端末制御部１５２ａと、を備える。マスタ表示部１３は、第１種類のコンテンツ（例えば、「台詞」）又は第２種類のコンテンツ（例えば、「解説」）の各々を、進行順序に従った位置に並べて、スクロール可能に表示する。表示位置選択部１５３は、スクロールされた位置に基づいて、第１種類のコンテンツ（例えば、「台詞」）における表示位置を選択する。そして、端末表示部２３は、同時通報に基づいて、表示位置情報に応じた表示位置に、第１種類のコンテンツ（例えば、「台詞」）又は第２種類のコンテンツ（例えば、「解説」）をスクロールして表示する。
これにより、本実施形態による情報提供システム１００ａは、異なる種類のコンテンツ間で同期を取って、スクロールして表示することができ、さらに利便性を向上させる「ことができる。
【０１２７】
また、本実施形態では、複数の端末装置２ａの各々は、解除モード（第１モード）と強制モード（自動スクロールモード、第２モード）とのいずれかを選択するモード選択部２５１を備える。端末表示部２３は、解除モードにおいて、自装置のユーザのスクロール操作に基づいて、第１種類のコンテンツ（例えば、「台詞」）又は第２種類のコンテンツ（例えば、「解説」）を表示する。また、端末表示部２３は、強制モード（自動スクロールモード）において、同時通報に基づいて、第１種類のコンテンツ（例えば、「台詞」）又は第２種類のコンテンツ（例えば、「解説」）をスクロールして表示する。
【０１２８】
これにより、本実施形態による情報提供システム１００ａは、強制モードにすることで、マスタ装置１ａから自動で、複数の端末装置２が表示するコンテンツをスクロール（ページめくり）することができるため、利便性をさらに向上させることができる。
また、本実施形態による情報提供システム１００ａは、解除モードにすることにより、観劇者が、「台詞」や「解説」のコンテンツを先読みしたり、既に終了した「台詞」や「解説」のコンテンツを見なおしたり（後戻り）することが可能になるため、利便性をさらに向上させることができる。
【０１２９】
また、本実施形態では、第１種類のコンテンツは、進行時点での状況を表すコンテンツ（例えば、「台詞」）であり、第２種類のコンテンツは、状況での解説を表すコンテンツ（例えば、「台詞の解説」）である。そして、コンテンツ対応情報は、状況と解説とを、進行順に対応付けた情報である。
これにより、本実施形態による情報提供システム１００ａは、状況と解説とを同期を取って、端末装置２ａの端末表示部２３にコンテンツを表示するため、利便性を向上させることができる。
【０１３０】
また、本実施形態では、マスタ記憶部１４ａ（コンテンツ記憶部１４１ａ）は、マスタ装置１ａで選択されるコンテンツ毎に、当該コンテンツを端末装置２ａで表示可能であるか否かを示す表示制限情報を記憶する。そして、端末表示部２３は、自装置のユーザのスクロール操作、マスタ装置１ａで選択されたコンテンツを示す情報、及び表示制限情報に基づいて、表示可能な第１種類のコンテンツ（例えば、「台詞」）又は第２種類のコンテンツ（例えば、「解説」）の各々を表示する。
これにより、本実施形態による情報提供システム１００ａは、例えば、「台詞」や「解説」のコンテンツを先読みやネタばれなど、舞台の演出上、観劇者に読ませたくない内容を、非表示にすることができる。よって、本実施形態による情報提供システム１００ａは、さらに利便性を向上させることができる。
【０１３１】
また、本実施形態による情報提供方法は、複数の端末装置２ａと、マスタ装置１ａと、第１種類のコンテンツ（例えば、「台詞」）の各々と第２種類のコンテンツ（例えば、「解説」）の各々とが進行順に対応付けられたコンテンツ対応情報を記憶するコンテンツ記憶部１４１ａと、を備える情報提供システム１００ａの情報提供方法あって、端末表示ステップを含む。端末表示ステップにおいて、複数の端末装置２ａの各々が、自装置のユーザが選択した第１種類のコンテンツ（例えば、「台詞」）と第２種類のコンテンツ（例えば、「解説」）とのいずれかを表示する。そして、端末表示ステップにおいて、複数の端末装置２ａの各々が、ユーザが第２種類のコンテンツ（例えば、「解説」）を選択している状態において、マスタ装置１ａにおいて第１種類のコンテンツ（例えば、「台詞」）の少なくとも１つが選択された場合、コンテンツ対応情報に基づいて、第２種類のコンテンツ（例えば、「解説」）の少なくとも１つを表示する。
【０１３２】
これにより、本実施形態による情報提供方法は、上述した情報提供システム１００ａと同様の効果を奏し、異なる種類のコンテンツ間で同期を取って、端末装置２ａの端末表示部２３にコンテンツを表示するため、利便性を向上させることができる。
【０１３３】
また、本実施形態では、第１種類のコンテンツは、第１言語で記述されたコンテンツ（例えば、日本語の台詞など）であり、第２種類のコンテンツは、第２言語で記述されたコンテンツ（例えば、英語の台詞など）であってもよい。この場合、コンテンツ対応情報は、互いに翻訳された言語を、進行順に対応付けた情報である。
これにより、本実施形態による情報提供システム１００ａは、互いに翻訳された異なる言語のコンテンツ間で同期を取って、端末装置２ａの端末表示部２３にコンテンツを表示するため、利便性を向上させることができる。
【０１３４】
なお、上述した本実施形態では、状況を表すコンテンツが、台詞である例を説明したが、これに限定されるものではなく、特殊な衣装や小道具などであってもよい。
また、上述した本実施形態において、日本語の台詞と英語の台詞との２か国の言語で記述されたコンテンツを同期させる例を説明したが、３か国以上の言語で記述されたコンテンツを同期させるようにしてもよい。
【０１３５】
［第３の実施形態］
次に、図面を参照して、第３の実施形態による情報提供システム１００ｂについて説明する。
図１２は、第３の実施形態による情報提供システム１００ｂの一例を示すブロック図である。
【０１３６】
図１２に示すように、情報提供システム１００ｂは、マスタ装置１ｂと、複数の端末装置（２ｂ−１、２ｂ−２、・・・）と、サーバ装置３とを備える。マスタ装置１ｂと、複数の端末装置（２ｂ−１、２ｂ−２、・・・）と、サーバ装置３とは、ネットワークＮＷ１に接続可能である。
【０１３７】
本実施形態では、情報提供システム１００ｂが、例えば、観光などにおいて、観光地や観光地に関する解説などの複数種類のコンテンツを、利用者に提供する場合の一例について説明する。
また、本実施形態において、複数の端末装置（２ｂ−１、２ｂ−２、・・・）のそれぞれは、同様の構成であり、情報提供システム１００ｂが備える任意の端末装置を示す場合、又は特に区別しない場合には、端末装置２ｂとして説明する。
なお、図１２において、上述した図６と同一の構成は、同一の符号を付与して、その説明を省略する。
【０１３８】
マスタ装置１ｂは、複数の端末装置２ｂに情報を提供する親機装置であり、例えば、タブレット端末装置などである。マスタ装置１ｂは、観光ガイドや添乗員などによって使用される。また、マスタ装置１ｂは、無線通信部１１と、マスタ入力部１２と、マスタ表示部１３と、マスタ記憶部１４ｂと、マスタ制御部１５ｂと、位置検出部１６とを備えている。
【０１３９】
位置検出部１６（測位部の一例）は、例えば、ＧＰＳ（Global Positioning System）などの測位システムであり、マスタ装置１ｂの位置情報を検出する。すなわち、位置検出部１６は、自装置の位置を示す測位情報を生成する。
【０１４０】
マスタ記憶部１４ｂ（記憶部の一例）は、マスタ装置１ｂが利用する各種データを記憶する。マスタ記憶部１４ｂは、コンテンツ記憶部１４１ｂと、制御情報記憶部１４２と、表示位置記憶部１４３と、観光地情報記憶部１４４とを備えている。
【０１４１】
コンテンツ記憶部１４１ｂは、複数のコンテンツを観光の進行順に記憶し、第１種類のコンテンツの各々と第２種類のコンテンツの各々とが進行順に対応付けられたコンテンツ対応情報を記憶する。なお、本実施形態において、第１種類のコンテンツは、地点に対応するコンテンツ（例えば、観光地名などの情報）であり、第２種類のコンテンツは、地点の付加情報を表すコンテンツ（例えば、観光案内情報など）である。また、コンテンツ対応情報は、地点と当該地点の付加情報とを、経路順に対応付けた情報である。ここで、図１３を参照して、本実施形態におけるコンテンツ記憶部１４１ｂのデータ例について説明する。
【０１４２】
図１３は、本実施形態におけるコンテンツ記憶部１４１ｂのデータ例を示す図である。
図１３に示すように、コンテンツ記憶部１４１ｂは、「経路番号」と、「観光地」と、「付加情報」とを対応付けたコンテンツ対応情報を記憶する。ここで、「経路番号」は、例えば、観光の進行順番（シーケンス番号）を示し、「観光地」は、コンテンツの一例である観光地名を示している。また、「付加情報」は、観光地に対応したガイド情報を示している。
例えば、図１３に示す例では、「経路番号」が“１”の「観光地」は、“金閣寺”であり、「付加情報」は、“ガイド情報Ａ”であることを示している。また、「経路番号」が“２”の「観光地」は、“二条城”であり、「付加情報」は、“ガイド情報Ｂ”であることを示している。
【０１４３】
図１２の説明に戻り、観光地情報記憶部１４４は、測位情報と、観光地とを対応付けて記憶する。ここで、図１４を参照して、本実施形態における観光地情報記憶部１４４のデータ例について説明する。
【０１４４】
図１４は、本実施形態における観光地情報記憶部１４４のデータ例を示す図である。
図１４に示すように、観光地情報記憶部１４４は、「測位情報」と、「観光地」とを対応付けた観光地情報を記憶する。ここで、「測位情報」は、例えば、観光地の緯度、経度の値であり、「観光地」は、観光地名を示している。
図１４に示す例では、「測位情報」が、“北緯ＸＸ、東経ＹＹ”の地点に対応する「観光地」が、“金閣寺”であることを示している。
【０１４５】
再び、図１２の説明に戻り、マスタ制御部１５ｂは、例えば、ＣＰＵなどを含むプロセッサであり、マスタ装置１ｂを統括的に制御する。マスタ制御部１５ｂは、制御情報生成部１５１と、端末制御部１５２ｂと、表示位置選択部１５３ａと、表示制御部１５４ｂと、コンテンツ制御部１５５とを備えている。
【０１４６】
端末制御部１５２ｂの基本的な機能は、上述した第２の実施形態の端末制御部１５２ａと同様であり、制御情報生成部１５１が生成した端末制御情報を含む同時通報を端末装置２ｂに向けて送信させる制御を行う。また、端末制御部１５２ｂは、表示位置を示す表示位置情報を含む同時通報を複数の端末装置２ｂへ送信させる。
【０１４７】
表示位置選択部１５３ａ（位置選択部の一例）は、スクロールされた位置に基づいて、「観光地」（第１種類のコンテンツ）における表示位置を選択する。また、表示位置選択部１５３ａは、位置検出部１６が検出した測位情報に基づいて、表示位置を決定する。例えば、表示位置選択部１５３ａは、位置検出部１６が検出した測位情報を取得し、上述した観光地情報記憶部１４４を参照して、測位情報が示す地点に応じた表示位置（「観光地」）を決定（選択）する。
【０１４８】
表示制御部１５４ｂは、各種操作画面や、観光ガイド情報などの端末装置２ｂを介して観光客に提供するコンテンツ（情報）などを、マスタ表示部１３に表示させる。なお、表示制御部１５４ｂは、例えば、端末装置２ｂと同期させて、コンテンツのスクロールやページ送り（ページめくり）をするために、端末装置２ｂと同様にコンテンツを、マスタ表示部１３に表示させる。表示制御部１５４ｂは、例えば、「観光地」（第１種類のコンテンツ）又は「付加情報」（第２種類のコンテンツ）の各々を、進行順序に従った位置に並べて、スクロール可能にマスタ表示部１３に表示させる。すなわち、マスタ表示部１３は、例えば、「観光地」（第１種類のコンテンツ）又は「付加情報」（第２種類のコンテンツ）の各々を、進行順序に従った位置に並べて、スクロール可能に表示する。
【０１４９】
端末装置２ｂは、例えば、タブレット端末装置などであり、観光客によって使用される子機装置である。端末装置２ｂは、例えば、観光ツアーの間、観光客に貸与され、観光地名やガイド情報などのコンテンツを表示する。
また、端末装置２ｂは、無線通信部２１と、端末入力部２２と、端末表示部２３と、端末記憶部２４ｂと、端末制御部２５ｂとを備えている。
【０１５０】
端末記憶部２４ｂ（記憶部の一例）は、端末装置２ｂが利用する各種データを記憶する。端末記憶部２４ｂは、コンテンツ記憶部２４１ｂと、制御情報記憶部２４２と、モード情報記憶部２４３と、表示位置記憶部２４４と、選択コンテンツ記憶部２４５とを備えている。
【０１５１】
コンテンツ記憶部２４１ｂは、複数のコンテンツを演劇の進行順に記憶し、例えば、図１３に示す、コンテンツ記憶部１４１ｂと同様である。コンテンツ記憶部２４１ｂが記憶する情報は、ネットワークＮＷ１を介して、マスタ装置１ｂのコンテンツ記憶部１４１ｂから予め取得されているものとする。
【０１５２】
端末制御部２５ｂは、例えば、ＣＰＵなどを含むプロセッサであり、端末装置２ｂを統括的に制御する。端末制御部２５ｂは、モード選択部２５１と、表示位置選択部２５２と、表示制御部２５３ｂと、コンテンツ選択部２５４とを備えている。
【０１５３】
表示制御部２５３ｂは、各種操作画面や、観光地名やガイド情報などのコンテンツ（情報）、等を、端末表示部２３に表示させる。表示制御部２５３ｂは、例えば、表示位置記憶部２４４が記憶する表示位置情報に基づいて、コンテンツのスクロール、又はページ送りを行って、端末表示部２３に表示させる。すなわち、表示制御部２５３ｂは、測位情報が示す地点に応じた表示位置に、地点に対応するコンテンツ、又は、地点の付加情報を表すコンテンツを、スクロールして端末表示部２３に表示させる。なお、表示制御部２５３ｂは、コンテンツの種類が、「観光地」及び「ガイド情報」に代わっている点を除いて、上述した表示制御部２５３ｂと同様であるため、ここではその説明を省略する。
【０１５４】
次に、図面を参照して、本実施形態による情報提供システム１００ｂの動作について説明する。
図１５は、本実施形態による情報提供システム１００ｂのコンテンツの表示処理の一例を示す図である。ここでは、位置検出部１６が検出した測位情報に基づいて、観光案内のコンテンツを表示する場合の一例について説明する。
【０１５５】
図１５において、まず、マスタ装置１ｂが、測位情報を取得する（ステップＳ３０１）。すなわち、マスタ装置１ｂの表示位置選択部１５３ａは、位置検出部１６が検出した測位情報を取得する。
【０１５６】
次に、マスタ装置１ｂは、観光地と、対応する付加情報とをサーバ装置３に送信する（ステップＳ３０２）。表示位置選択部１５３ａは、取得した測位情報に対応する「観光地」（表示位置）を、観光地情報記憶部１４４を参照して、決定（選択）する。端末制御部１５２ｂは、無線通信部１１を介して、「観光地」と、対応する「付加情報」とを含む案内情報をサーバ装置３に送信する。
【０１５７】
次に、サーバ装置３は、同時通報を端末装置２ｂに送信する（ステップＳ３０３）。サーバ制御部３３は、マスタ装置１ｂから受信した案内情報を含む同時通報を生成し、当該同時通報を、ＮＷ通信部３１を介して、全ての端末装置２ｂに送信（例えば、ブロードキャスト通信により送信）する。
【０１５８】
次に、端末装置２ｂは、「観光地」と「付加情報」とを含む案内情報を表示する（ステップＳ３０４）。表示制御部２５３ｂは、無線通信部２１を介して、同時通報を受信し、当該同時通報に含まれる案内情報に基づいて、「観光地」と「付加情報」とを端末表示部２３に表示させる。
【０１５９】
以上説明したように、本実施形態による情報提供システム１００ｂでは、第１種類のコンテンツは、地点に対応するコンテンツ（例えば、「観光地」）であり、第２種類のコンテンツは、地点の付加情報を表すコンテンツ（例えば、「ガイド情報」）である。また、コンテンツ対応情報は、地点（例えば、「観光地」）と当該地点の付加情報（例えば、「ガイド情報」）とを、経路順に対応付けた情報である。マスタ装置１ｂは、自装置の位置を示す測位情報を生成する位置検出部１６（測位部）を備え、端末表示部２３は、測位情報が示す地点に応じた表示位置に、地点に対応するコンテンツ（例えば、「観光地」）、又は、地点の付加情報（例えば、「ガイド情報」）を表すコンテンツを、スクロールして表示する。
【０１６０】
これにより、本実施形態による情報提供システム１００ｂは、マスタ装置１ｂが観光地に近づくと、自動で端末装置２ｂに、地点に対応するコンテンツ（例えば、「観光地」）であり、第２種類のコンテンツは、地点の付加情報を表すコンテンツ（例えば、「ガイド情報」）を表示させるため、利便性を向上させることができる。また、端末装置２ｂは、マスタ装置１ｂが観光地に近づくと、自動で表示位置をスクロールして表示するので、さらに利便性を向上させることができる。
【０１６１】
なお、上述した本実施形態による情報提供システム１００ｂでは、マスタ装置１ｂからサーバ装置３を介して端末装置２ｂに、測位情報に基づく観光地と付加情報とを送付する例を説明したが、経路番号などの表示位置情報を送付して、端末装置２ｂに観光地と付加情報とを表示させるようにしてもよい。
また、上述した本実施形態による情報提供システム１００ｂでは、マスタ装置１ｂを添乗員が携帯して観光案内に使用する例を説明したが、路線バスなどの交通機関などにおいて、車内にマスタ装置１ｂを設置することにより、端末装置２ｂに自動で観光案内のコンテンツを提供するようにしてもよい。
【０１６２】
［第４の実施形態］
次に、図面を参照して、第４の実施形態による情報提供システム１００ｃについて説明する。
図１６は、第４の実施形態による情報提供システム１００ｃの一例を示すブロック図である。
【０１６３】
図１６に示すように、情報提供システム１００ｃは、マスタ装置１ｃと、複数の端末装置（２ｃ−１、２ｃ−２、・・・）と、サーバ装置３とを備える。マスタ装置１ｃと、複数の端末装置（２ｃ−１、２ｃ−２、・・・）と、サーバ装置３とは、ネットワークＮＷ１に接続可能である。
【０１６４】
本実施形態では、情報提供システム１００ｃが、例えば、相撲などスポーツ観戦において、技や競技ルールに関する解説などの複数種類のコンテンツを、利用者に提供する場合の一例について説明する。
また、本実施形態において、複数の端末装置（２ｃ−１、２ｃ−２、・・・）のそれぞれは、同様の構成であり、情報提供システム１００ｃが備える任意の端末装置を示す場合、又は特に区別しない場合には、端末装置２ｃとして説明する。
なお、図１６において、上述した図６と同一の構成は、同一の符号を付与して、その説明を省略する。
【０１６５】
マスタ装置１ｃは、複数の端末装置２ｃに情報を提供する親機装置であり、例えば、タブレット端末装置などである。マスタ装置１ｃは、スポーツ観戦の主催者や解説員などによって使用される。また、マスタ装置１ｃは、無線通信部１１と、マスタ入力部１２と、マスタ表示部１３と、マスタ記憶部１４ｃと、マスタ制御部１５ｃとを備えている。
【０１６６】
マスタ記憶部１４ｃ（記憶部の一例）は、マスタ装置１ｃが利用する各種データを記憶する。マスタ記憶部１４ｃは、コンテンツ記憶部１４１ｃと、制御情報記憶部１４２と、表示位置記憶部１４３と、競技解説記憶部１４５とを備えている。
【０１６７】
コンテンツ記憶部１４１ｃは、複数のコンテンツを観光の進行順に記憶し、第１種類のコンテンツの各々と第２種類のコンテンツの各々とが進行順に対応付けられたコンテンツ対応情報を記憶する。なお、本実施形態において、第１種類のコンテンツは、実況を表すコンテンツ（例えば、競技の実況）であり、第２種類のコンテンツは、解説を表すコンテンツ（例えば、競技の解説など）である。また、コンテンツ対応情報は、実況を表すコンテンツ（例えば、競技の実況）と解説を表すコンテンツ（例えば、競技の解説など）とを、時刻の順に対応付けた情報である。ここで、図１７を参照して、本実施形態におけるコンテンツ記憶部１４１ｃのデータ例について説明する。
【０１６８】
図１７は、本実施形態におけるコンテンツ記憶部１４１ｃのデータ例を示す図である。
図１７に示すように、コンテンツ記憶部１４１ｃは、「実況時刻」と、「実況」と、「解説」とを対応付けたコンテンツ対応情報を記憶する。ここで、「実況時刻」は、競技を実行した時刻を示し、「実況」は、例えば、相撲の実況内容を示している。また、「解説」は、実況に関連した解説（例えば、技や競技ルールの解説）を示している。
例えば、図１７に示す例では、「実況時刻」が“１７：００”の「実況」は、“下手投げで○○山の勝ち”であり、「解説」は、“解説Ａ”（例えば、下手投げの解説など）であることを示している。
【０１６９】
図１６の説明に戻り、競技解説記憶部１４５は、例えば、技名と、技の解説とを対応付けて記憶する。ここで、図１８を参照して、本実施形態における競技解説記憶部１４５のデータ例について説明する。
【０１７０】
図１８は、本実施形態における競技解説記憶部１４５のデータ例を示す図である。
図１８に示すように、競技解説記憶部１４５は、「技名」と、「解説」とを対応付けた観光地情報を記憶する。ここで、「技名」は、例えば、相撲の技の名前であり、「解説」は、相撲の技の解説を示している。
図１８に示す例では、「技名」が、“下手投げ”に対応する「解説」が、“解説Ａ”であることを示している。
このように、競技解説記憶部１４５は、競技に関する競技情報（例えば、技名、競技ルールなど）と、当該競技情報の解説を表す解説コンテンツと、が対応付けられた競技解説情報を記憶する。
【０１７１】
再び、図１６の説明に戻り、マスタ制御部１５ｃは、例えば、ＣＰＵなどを含むプロセッサであり、マスタ装置１ｃを統括的に制御する。マスタ制御部１５ｃは、制御情報生成部１５１と、端末制御部１５２ｃと、表示位置選択部１５３と、表示制御部１５４ｃと、コンテンツ制御部１５５とを備えている。
【０１７２】
端末制御部１５２ｃ及び表示制御部１５４ｃの基本的な機能は、コンテンツの種類が異なる点を除いて、上述した第２の実施形態の端末制御部１５２ａ及び表示制御部１５４ａと同様であり、ここではその説明を省略する。
なお、本実施形態によるコンテンツ制御部１５５（取得部の一例）は、入力された実況を表すコンテンツに対応する解説を表すコンテンツを取得し、実況を表すコンテンツと解説を表すコンテンツとを、時刻の順に対応付けて、コンテンツ対応情報としてコンテンツ記憶部１４１ｃに記憶させる。すなわち、コンテンツ制御部１５５は、競技解説記憶部１４５が記憶する競技解説情報を参照し、実況を表すコンテンツに含まれる競技情報に対応する解説コンテンツを取得する。
【０１７３】
端末装置２ｃは、例えば、タブレット端末装置などであり、観客によって使用される子機装置である。端末装置２ｃは、例えば、スポーツ（例えば、相撲）の観戦の間、観客に貸与され、実況や解説などのコンテンツを表示する。
また、端末装置２ｃは、無線通信部２１と、端末入力部２２と、端末表示部２３と、端末記憶部２４ｃと、端末制御部２５ｃとを備えている。
【０１７４】
端末記憶部２４ｃ（記憶部の一例）は、端末装置２ｃが利用する各種データを記憶する。端末記憶部２４ｃは、コンテンツ記憶部２４１ｃと、制御情報記憶部２４２と、モード情報記憶部２４３と、表示位置記憶部２４４と、選択コンテンツ記憶部２４５とを備えている。
また、端末制御部２５ｃは、例えば、ＣＰＵなどを含むプロセッサであり、端末装置２ｃを統括的に制御する。端末制御部２５ｃは、モード選択部２５１と、表示位置選択部２５２と、表示制御部２５３ｃと、コンテンツ選択部２５４とを備えている。
【０１７５】
本実施形態におけるコンテンツ記憶部２４１ｃ及び表示制御部２５３ｃは、コンテンツの種類が、「実況」及び「解説」に代わっている点を除いて、上述した第２の実施形態のコンテンツ記憶部２４１ａ及び表示制御部２５３ａと同様であるため、ここではその説明を省略する。
【０１７６】
次に、図面を参照して、本実施形態による情報提供システム１００ｃの動作について説明する。
図１９は、本実施形態による情報提供システム１００ｃのコンテンツの表示処理の一例を示す図である。ここでは、主催者Ｕ１が実況情報をマスタ装置１ｃに入力することにより、「実況」及び「解説」のコンテンツを表示する場合の一例について説明する。
【０１７７】
図１９において、まず、主催者Ｕ１が、実況情報を入力すると（ステップＳ３１０）、マスタ装置１ｃが、実況に対応する解説を取得する（ステップＳ３１１）。すなわち、マスタ装置１ｃのコンテンツ制御部１５５は、競技解説記憶部１４５が記憶する競技解説情報を参照し、実況を表すコンテンツに含まれる競技情報に対応する解説コンテンツを取得する。
【０１７８】
次に、コンテンツ制御部１５５は、実況と解説とを対応付けて記憶する（ステップＳ３１２）。コンテンツ制御部１５５は、例えば、図１７に示すように、「実況時刻」と、「実況」と、「解説」とを対応付けたコンテンツ対応情報を記憶する。
【０１７９】
次に、端末制御部１５２ｃは、無線通信部１１を介して、実況及び解説をサーバ装置３に送信する（ステップＳ３１３）。
次に、サーバ装置３は、同時通報を端末装置２ｃに送信する（ステップＳ３１４）。サーバ制御部３３は、マスタ装置１ｃから受信した実況及び解説を含む同時通報を生成し、当該同時通報を、ＮＷ通信部３１を介して、全ての端末装置２ｃに送信（例えば、ブロードキャスト通信により送信）する。
【０１８０】
次に、端末装置２ｃは、実況及び解説を表示する（ステップＳ３１５）。表示制御部２５３ｃは、無線通信部２１を介して、同時通報を受信し、当該同時通報に含まれる実況及び解説を端末表示部２３に表示させる。
【０１８１】
以上説明したように、本実施形態による情報提供システム１００ｃでは、第１種類のコンテンツは、実況を表すコンテンツ（例えば、競技の実況）であり、第２種類のコンテンツは、解説を表すコンテンツ（例えば、競技の解説など）である。マスタ装置１ｃは、マスタ入力部１２（入力部）と、コンテンツ制御部１５５（取得部）とを備える。マスタ入力部１２は、マスタ装置１ｃのユーザ（例えば、主催者Ｕ１）が、実況を表すコンテンツを入力する。コンテンツ制御部１５５（マスタ制御部１５ｃ）は、入力された実況を表すコンテンツに対応する解説を表すコンテンツを取得し、実況を表すコンテンツと解説を表すコンテンツとを、時刻の順に対応付けて、コンテンツ対応情報としてマスタ記憶部１４ｃ（コンテンツ記憶部１４１ｃ）に記憶させる。
これにより、本実施形態による情報提供システム１００ｃは、スポーツ観戦において、実行及び解説を端末装置２ｃに適切に表示させるため、利便性を向上させることができる。
【０１８２】
また、本実施形態では、マスタ記憶部１４ｃ（競技解説記憶部１４５）は、競技に関する競技情報（例えば、技名、競技ルールなど）と、当該競技情報の解説を表す解説コンテンツと、が対応付けられた競技解説情報を記憶する。そして、コンテンツ制御部１５５（取得部）は、競技解説記憶部１４５が記憶する競技解説情報を参照し、実況を表すコンテンツに含まれる競技情報に対応する解説コンテンツを取得する。
これにより、本実施形態による情報提供システム１００ｃは、実況に含まれている競技に関する競技情報から、有用な解説（解説コンテンツ）を適切に取得することができる。
【０１８３】
［第５の実施形態］
次に、図面を参照して、第５の実施形態による情報提供システム１００ｄについて説明する。
図２０は、第５の実施形態による情報提供システム１００ｄの一例を示すブロック図である。
【０１８４】
図２０に示すように、情報提供システム１００ｄは、マスタ装置１ｄと、複数の端末装置（２ｄ−１、２ｄ−２、・・・）と、サーバ装置３と、複数のカメラ（４−１、４−２、・・・）とを備える。マスタ装置１ｄと、複数の端末装置（２ｄ−１、２ｄ−２、・・・）と、サーバ装置３と、複数のカメラ（４−１、４−２、・・・）は、ネットワークＮＷ１に接続可能である。
【０１８５】
本実施形態では、情報提供システム１００ｄが、例えば、料理教室などの授業や講演において、料理に関する解説や映像データなどの複数種類のコンテンツを、利用者に提供する場合の一例について説明する。
【０１８６】
また、本実施形態において、複数の端末装置（２ｄ−１、２ｄ−２、・・・）のそれぞれは、同様の構成であり、情報提供システム１００ｄが備える任意の端末装置を示す場合、又は特に区別しない場合には、端末装置２ｄとして説明する。また、複数のカメラ（４−１、４−２、・・・）のそれぞれは、同様の構成であり、情報提供システム１００ｄが備える任意のカメラを示す場合、又は特に区別しない場合には、カメラ４として説明する。
なお、図２０において、上述した図６と同一の構成は、同一の符号を付与して、その説明を省略する。
【０１８７】
カメラ４は、例えば、ＣＣＤ撮像装置であり、複数のカメラ４のそれぞれは、様々な角度及び視点により授業や講演を撮像可能なように配置されている。カメラ４は、例えば、料理をしている講師の手元の映像を撮像したり、鍋やフライパンの様子の映像を撮像したりするように配置されている。複数のカメラ４は、撮像した映像データをマスタ装置１ｄに、ネットワークＮＷ１を介して送信する。
【０１８８】
マスタ装置１ｄは、複数の端末装置２ｄに情報を提供する親機装置であり、例えば、タブレット端末装置などである。マスタ装置１ｄは、授業又は講演の主催者（例えば、料理教室のスタッフなど）によって使用される。また、マスタ装置１ｄは、無線通信部１１と、マスタ入力部１２と、マスタ表示部１３と、マスタ記憶部１４ｄと、マスタ制御部１５ｄとを備えている。
【０１８９】
マスタ記憶部１４ｄ（記憶部の一例）は、マスタ装置１ｄが利用する各種データを記憶する。マスタ記憶部１４ｄは、コンテンツ記憶部１４１ｄと、映像情報記憶部１４６と、選択情報記憶部１４７とを備えている。
【０１９０】
映像情報記憶部１４６は、複数のカメラ４が撮像した映像データを記憶する。ここで、図２１を参照して、本実施形態における映像情報記憶部１４６のデータ例について説明する。
図２１は、本実施形態における映像情報記憶部１４６のデータ例を示す図である。
図２１に示すように、映像情報記憶部１４６は、「カメラＩＤ」と、「映像開始時刻」と、「映像データ」とを対応付けた映像情報を記憶する。ここで、「カメラＩＤ」は、カメラ４を識別するための識別情報である。また、「映像開始時刻」は、映像データの撮像開始時刻を示し、「映像データ」は、撮像された映像データを示している。
【０１９１】
図２０の説明に戻り、選択情報記憶部１４７は、選択された映像データを示す選択映像情報を記憶する。選択情報記憶部１４７は、例えば、選択されたカメラ４のカメラＩＤなどを選択映像情報として記憶する。
【０１９２】
コンテンツ記憶部１４１ｄ（記憶部の一例）は、解説コンテンツと、解説コンテンツが決定されたときに配信されていた映像の再生時点を示す再生時点情報と、を対応付けて、コンテンツ対応情報として記憶する。ここで、図２２を参照して、本実施形態におけるコンテンツ記憶部１４１ｄのデータ例について説明する。
【０１９３】
図２２は、本実施形態におけるコンテンツ記憶部１４１ｄのデータ例を示す図である。
図２２に示すように、コンテンツ記憶部１４１ｄは、「実演時刻」と、「解説」とを対応付けたコンテンツ対応情報を記憶する。ここで、「実演時刻」は、例えば、講演を実演した時刻であり、配信されていた映像の再生時点を示す再生時点情報である。また、「解説」は、解説コンテンツを示している。
例えば、図２２に示す例では、「実演時刻」が“１０：００”における「解説」は、“解説Ａ”であることを示している。
【０１９４】
再び、図２０の説明に戻り、マスタ制御部１５ｄは、例えば、ＣＰＵなどを含むプロセッサであり、マスタ装置１ｄを統括的に制御する。マスタ制御部１５ｄは、端末制御部１５２ｄと、表示制御部１５４ｄと、コンテンツ制御部１５５と、映像取得部１５６と、表示選択部１５７とを備えている。
【０１９５】
映像取得部１５６は、複数のカメラ４が撮像した映像データを取得する。映像取得部１５６は、例えば、カメラ４−１の映像データ（第１の映像）と、カメラ４−２の映像データ（第２の映像）とを取得する。映像取得部１５６は、取得した映像データを、上述した図２１に示すように、映像情報記憶部１４６に記憶させる。
【０１９６】
表示選択部１５７（マスタ選択部の一例）は、マスタ装置１ｄのユーザからの要求に基づいて、カメラ４−１の映像データ（第１の映像）又はカメラ４−２の映像データ（第２の映像）を選択する。表示選択部１５７は、例えば、ユーザによるマスタ入力部１２の操作により、複数の映像データのうちの１つの映像データを選択する。表示選択部１５７は、選択された映像データを示す選択映像情報を選択情報記憶部１４７に記憶させる。
【０１９７】
コンテンツ制御部１５５（決定部の一例）は、ユーザによるマスタ入力部１２の操作に基づいて、解説を表す解説コンテンツを決定する。コンテンツ制御部１５５は、決定した解説コンテンツと、解説コンテンツが決定されたときに配信されていた映像の再生時点を示す再生時点情報と、を対応付けて、コンテンツ対応情報としてコンテンツ記憶部１４１ｄに記憶させる。コンテンツ制御部１５５は、例えば、図２２に示すように、「実演時刻」と、「解説」とを対応付けたコンテンツ対応情報をコンテンツ記憶部１４１ｄに記憶させる。
【０１９８】
端末制御部１５２ｄは、選択された映像データを示す選択映像情報を含む通報を端末装置２ｄへ送信させる。端末制御部１５２ｄは、例えば、選択情報記憶部１４７が記憶する選択映像情報により、選択映像情報を含む通報を生成し、当該通報を、無線通信部１１及びサーバ装置３を介して、端末装置２ｄへ送信させる。なお、通報は、複数の端末装置２ｄの各々に同時に通報する同時通報であってもよい。
表示制御部１５４ｄは、各種操作画面や、選択した解説及び映像データなどの端末装置２ｄを介して講演の参加者に提供するコンテンツ（情報）などを、マスタ表示部１３に表示させる。
【０１９９】
端末装置２ｄは、例えば、タブレット端末装置などであり、講演や料理教室の参加者によって使用される子機装置である。端末装置２ｄは、講演や料理教室の間、例えば、参加者に貸与され、解説や映像データなどのコンテンツを表示する。なお、端末装置２ｄは、専用アプリケーションを起動させることによって、解説や映像データなどのコンテンツを表示するようにしてもよいし、ブラウザを起動させて、サーバ装置３にアクセスすることで、解説や映像データなどのコンテンツを表示するようにしてもよい。
また、端末装置２ｄは、無線通信部２１と、端末入力部２２と、端末表示部２３と、端末記憶部２４ｄと、端末制御部２５ｄとを備えている。
【０２００】
端末記憶部２４ｄ（記憶部の一例）は、端末装置２ｄが利用する各種データを記憶する。端末記憶部２４ｄは、コンテンツ記憶部２４１ｄと、モード情報記憶部２４３と、選択情報記憶部２４７とを備えている。
【０２０１】
コンテンツ記憶部２４１ｄは、例えば、図２２に示す、コンテンツ記憶部１４１ｄと同様情報を記憶する。コンテンツ記憶部２４１ｄが記憶する情報は、ネットワークＮＷ１を介して、マスタ装置１ｄから配信されたコンテンツ対応情報である。
【０２０２】
映像情報記憶部２４６は、例えば、図２１に示す、映像情報記憶部１４６と同様情報を記憶する。映像情報記憶部２４６が記憶する映像情報は、端末装置２ｄが複数のカメラ４から直接取得してもよいし、マスタ装置１ｄ又はサーバ装置３を介して所得してもよい。
選択情報記憶部２４７は、受信した通報に含まれる選択映像情報、又は、端末装置２ｄのユーザによって選択された映像を示す選択映像情報を記憶する。
【０２０３】
端末制御部２５ｄは、例えば、ＣＰＵなどを含むプロセッサであり、端末装置２ｄを統括的に制御する。端末制御部２５ｄは、モード選択部２５１と、表示位置選択部２５２と、表示制御部２５３ｄと、コンテンツ選択部２５４とを備えている。
【０２０４】
モード選択部２５１は、解除モードと強制モード（自動選択モード）とのいずれかを選択する。
表示制御部２５３ｄは、無線通信部２１が受信した通報に基づいて、当該通報に含まれる選択映像情報が示す映像を端末表示部２３に表示させる。なお、表示制御部２５３ｄは、無線通信部２１が選択映像情報を含む通報を受信した場合に、当該選択映像情報を選択情報記憶部２４７に記憶させる。表示制御部２５３ｄは、例えば、選択映像情報に対応する映像データを映像情報記憶部２４６から取得して、端末表示部２３に表示させる。
【０２０５】
また、表示制御部２５３ｄは、解除モード（第１モード）において、自装置のユーザが選択した映像を端末表示部２３に表示させる。また、表示制御部２５３ｄは、強制モード（第２モード）において、受信した通報に基づいて、選択映像情報が示す映像を端末表示部２３に表示させる。
なお、表示制御部２５３ｄは、自装置のユーザが解説コンテンツを選択した場合、例えば、コンテンツ記憶部２４１ｄが記憶するコンテンツ対応情報に基づいて、対応する再生時点情報が示す再生時点の映像を端末表示部２３に表示させる。
【０２０６】
次に、図面を参照して、本実施形態による情報提供システム１００ｄの動作について説明する。
図２３は、本実施形態による情報提供システム１００ｄのコンテンツの表示処理の一例を示す図である。ここでは、主催者Ｕ１が解説及び映像を選択する場合の一例について説明する。
【０２０７】
図２３において、まず、カメラ４が、マスタ装置１ｄ及び端末装置２ｄに映像データを配信する（ステップＳ４０１）。なお、この映像データの配信は、継続されるものとする。また、映像データは、映像情報記憶部１４６及び映像情報記憶部２４６に記憶される。
【０２０８】
次に、主催者Ｕ１が、解説を決定するとともに、映像を選択すると（ステップＳ４０２）、マスタ装置１ｄが、解説と再生時点情報とを対応付けて記憶する（ステップＳ４０３）。すなわち、マスタ装置１ｄのコンテンツ制御部１５５は、解説と再生時点情報とを対応付けたコンテンツ対応情報を、コンテンツ記憶部１４１ｄに記憶させる。
【０２０９】
次に、マスタ装置１ｄは、コンテンツ対応情報、及び選択映像情報を送信する（ステップＳ４０４）。すなわち、端末制御部１５２ｄは、無線通信部１１を介して、コンテンツ対応情報、及び選択映像情報をサーバ装置３に送信する。
次に、サーバ装置３は、同時通報を端末装置２ｄに送信する（ステップＳ４０５）。サーバ制御部３３は、マスタ装置１ｄから受信したコンテンツ対応情報、及び選択映像情報を含む同時通報を生成し、当該同時通報を、ＮＷ通信部３１を介して、全ての端末装置２ｄに送信（例えば、ブロードキャスト通信により送信）する。
【０２１０】
次に、端末装置２ｄは、解説及び選択映像情報が示す映像を表示する（ステップＳ４０６）。表示制御部２５３ｄは、無線通信部２１を介して、同時通報を受信し、当該同時通報に含まれる選択映像情報が示す映像データを、映像情報記憶部２４６から取得し、解説とともに端末表示部２３に表示させる。
【０２１１】
以上説明したように、本実施形態による情報提供システム１００ｄは、複数の端末装置２ｄとマスタ装置１ｄとを備える。マスタ装置１ｄは、映像取得部１５６と、表示選択部１５７（マスタ選択部）と、端末制御部１５２ｄとを備える。映像取得部１５６は、第１の映像と第２の映像とを取得する。表示選択部１５７は、マスタ装置１ｄのユーザからの要求に基づいて、第１の映像又は第２の映像を選択する。端末制御部１５２ｄは、選択された映像を示す選択映像情報を含む通報を端末装置２ｄへ送信させる。また、複数の端末装置２ｄは、無線通信部２１（受信部）と、端末表示部２３とを備える。無線通信部２１は、通報を受信する。端末表示部２３は、通報に基づいて、選択映像情報が示す映像を表示する。
【０２１２】
これにより、本実施形態による情報提供システム１００ｄは、マスタ装置１ｄのユーザによって、複数の映像を適切に切り替えて端末装置２ｄに表示させることができるため、利便性を向上させることができる。なお、本実施形態による情報提供システム１００ｄでは、例えば、拡大した映像や、端末装置２ｄのユーザとは異なる視点及び角度からの映像を提供することが可能になる。
【０２１３】
また、本実施形態では、複数の端末装置２ｄの各々は、解除モード（第１モード）と自動選択モード（第２モード）とのいずれかを選択するモード選択部２５１を備える。端末表示部２３は、解除モード（第１モード）において、自装置のユーザが選択した第１の映像又は第２の映像を表示し、自動選択モード（第２モード）において、通報に基づいて、選択映像情報が示す映像を表示する。
これにより、本実施形態による情報提供システム１００ｄは、必要に応じて、解除モード（第１モード）と自動選択モード（第２モード）とを切り替えて使用することができるため、さらに利便性を向上させることができる。
【０２１４】
また、本実施形態では、上述した通報は、複数の端末装置２ｄの各々に同時に通報する同時通報である。
これにより、本実施形態による情報提供システム１００ｄは、複数の端末装置２ｄに表示する映像を短時間で一斉に切り替えることができる。
【０２１５】
また、本実施形態では、コンテンツ制御部１５５が、解説を表す解説コンテンツを決定し、解説コンテンツと、解説コンテンツが決定されたときに配信されていた映像の再生時点を示す再生時点情報と、を対応付けて、コンテンツ対応情報としてコンテンツ記憶部１４１ｄ（記憶部）に記憶させる。端末表示部２３は、自装置（端末装置２ｄ）のユーザが解説コンテンツを選択した場合、コンテンツ対応情報に基づいて、対応する再生時点情報が示す再生時点の映像を表示する。
これにより、本実施形態による情報提供システム１００ｄは、解説コンテンツと、映像とを同期させて、端末装置２ｄに表示させることができる。
【０２１６】
また、本実施形態による情報提供方法は、複数の端末装置２ｄとマスタ装置１ｄとを備える情報提供システム１００ｄの情報提供方法であって、映像取得ステップと、マスタ選択ステップと、受信ステップと、端末表示ステップとを含む。映像取得ステップにおいて、マスタ装置１ｄが、第１の映像と第２の映像とを取得する。マスタ選択ステップにおいて、マスタ装置１ｄが、マスタ装置１ｄのユーザからの要求に基づいて、第１の映像又は第２の映像を選択する。通信ステップにおいて、マスタ装置１ｄが、選択された映像を示す選択映像情報を含む通報を送信する。受信ステップにおいて、複数の端末装置２ｄが、通報を受信する。端末表示ステップにおいて、複数の端末装置２ｄが、通報に基づいて、選択映像情報が示す映像を表示する。
これにより、本実施形態による情報提供方法は、上述した情報提供システム１００ｄと同様の効果を奏し、複数の映像を適切に切り替えて端末装置２ｄに表示させることができるため、利便性を向上させることができる。
【０２１７】
なお、上述した本実施形態では、複数の端末装置２ｄ及びマスタ装置１ｄは、カメラ４が撮像した映像を、カメラ４から直接取得する例を説明したが、これに限定されるものではなく、サーバ装置３を経由して取得するようにしてもよい。
【０２１８】
［第６の実施形態］
次に、図面を参照して、第６の実施形態による情報提供システム１００ｅについて説明する。
図２４は、第６の実施形態による情報提供システム１００ｅの一例を示すブロック図である。
【０２１９】
図２４に示すように、情報提供システム１００ｅは、マスタ装置１ｅと、複数の端末装置（２ｅ−１、２ｅ−２、・・・）と、サーバ装置３と、複数のカメラ（４−１、４−２、・・・）とを備える。マスタ装置１ｅと、複数の端末装置（２ｅ−１、２ｅ−２、・・・）と、サーバ装置３と、複数のカメラ（４−１、４−２、・・・）は、ネットワークＮＷ１に接続可能である。
【０２２０】
本実施形態では、情報提供システム１００ｅが、例えば、レストランなどの飲食店において、料理に関する解説や映像データなどの複数種類のコンテンツを、利用者に提供する場合の一例について説明する。
【０２２１】
また、本実施形態において、複数の端末装置（２ｅ−１、２ｅ−２、・・・）のそれぞれは、同様の構成であり、情報提供システム１００ｅが備える任意の端末装置を示す場合、又は特に区別しない場合には、端末装置２ｅとして説明する。
なお、図２４において、上述した図２０と同一の構成は、同一の符号を付与して、その説明を省略する。
【０２２２】
マスタ装置１ｅは、複数の端末装置２ｅに情報を提供する親機装置であり、例えば、タブレット端末装置などである。マスタ装置１ｅは、例えば、飲食店のスタッフなどによって使用される。また、マスタ装置１ｅは、無線通信部１１と、マスタ入力部１２と、マスタ表示部１３と、マスタ記憶部１４ｅと、マスタ制御部１５ｅとを備えている。
【０２２３】
マスタ記憶部１４ｅ（記憶部の一例）は、マスタ装置１ｅが利用する各種データを記憶する。マスタ記憶部１４ｅは、コンテンツ記憶部１４１ｅと、映像情報記憶部１４６と、選択情報記憶部１４７と、注文情報記憶部１４８とを備えている。
【０２２４】
注文情報記憶部１４８は、注文に関する情報を示す注文情報と、端末装置２ｅを識別する端末識別情報とが対応付けられた注文端末情報を記憶する。ここで、図２５を参照して、本実施形態による注文情報記憶部１４８のデータ例について説明する。
【０２２５】
図２５は、本実施形態における注文情報記憶部１４８のデータ例を示す図である。
図２５に示すように、注文情報記憶部１４８は、「注文ＮＯ」と、「注文情報」と、「端末ＩＤ」とを対応付けた注文端末情報を記憶する。ここで、「注文ＮＯ」は、例えば、注文の識別情報の一例であり、「注文情報」は、例えば、メニュー名を示している。また、「端末ＩＤ」は、端末装置２ｅを識別する識別情報である。
例えば、図２５に示す例では、「注文ＮＯ」が“００１”の「注文情報」が“コース料理Ａ”であり、「端末ＩＤ」が、“Ｔ００１”であることを示している。
【０２２６】
図２４の説明に戻り、コンテンツ記憶部１４１ｅ（記憶部の一例）は、注文情報が示す注文品の生産工程の各々と、生産工程の解説コンテンツと、が生産工程の順に対応付けられたコンテンツ対応情報を記憶する。ここで、図２６を参照して、本実施形態におけるコンテンツ記憶部１４１ｅのデータ例について説明する。
【０２２７】
図２６は、本実施形態におけるコンテンツ記憶部１４１ｅのデータ例を示す図である。
図２６に示すように、コンテンツ記憶部１４１ｅは、「料理名」と、「調理工程ＮＯ」と、「調理方法」と、「解説」とを対応付けたコンテンツ対応情報を記憶する。ここで、「料理名」は、例えば、メニュー名であり、「調理工程ＮＯ」は、調理工程番号を示し、生産工程の一例である。また、「調理方法」は、各調理工程の調理方法を示し、「解説」は、各調理工程に対する解説コンテンツを示している。
【０２２８】
例えば、図２６に示す例では、「料理名」が“料理Ｂ”である「調理工程ＢＯ」が“１”に対応する「調理方法」は、“調理法Ａ”であり、「解説」は、“解説Ａ”であることを示している。
このように、コンテンツ記憶部１４１ｅは、生産工程の各々と、生産方法を示す生産方法コンテンツと、解説コンテンツとが対応付けられたコンテンツ対応情報を記憶する。
【０２２９】
再び、図２４の説明に戻り、マスタ制御部１５ｅは、例えば、ＣＰＵなどを含むプロセッサであり、マスタ装置１ｅを統括的に制御する。マスタ制御部１５ｅは、端末制御部１５２ｅと、表示制御部１５４ｅと、コンテンツ制御部１５５と、映像取得部１５６と、表示選択部１５７とを備えている。
【０２３０】
端末制御部１５２ｅは、マスタ装置１ｅのユーザが注文情報を示す操作子（例えば、操作ボタンなど）を選択した場合、注文端末情報（例えば、端末ＩＤ）に基づいて、当該注文情報に対応する端末識別情報（例えば、端末ＩＤ）を抽出し、抽出した端末識別情報が示す端末装置２ｅへ、選択映像情報を含む通報を送信させる。端末制御部１５２ｅは、例えば、注文情報記憶部１４８を参照して、注文情報に対応する端末ＩＤを抽出する。
【０２３１】
表示制御部１５４ｅは、各種操作画面や、選択した注文情報、調理工程、及び映像データなどの端末装置２ｅを介してレストランの顧客に提供するコンテンツ（情報）などを、マスタ表示部１３に表示させる。
【０２３２】
本実施形態における表示選択部１５７（工程選択部の一例）は、マスタ装置１ｅのユーザからの要求に基づいて、調理工程（生産工程）を選択する。また、表示選択部１５７は、調理工程（生産工程）を選択することにより、調理工程に対応するカメラ４−１の映像データを選択してもよい。なお、表示選択部１５７は、選択された映像データを示す選択映像情報を選択情報記憶部１４７に記憶させる。
【０２３３】
端末装置２ｅは、例えば、タブレット端末装置などであり、例えば、レストランの顧客によって使用される子機装置である。端末装置２ｅは、レストランにいる間、例えば、顧客に貸与され、食材や調理方法の解説や映像データなどのコンテンツを表示する。なお、端末装置２ｅは、専用アプリケーションを起動させることによって、解説や映像データなどのコンテンツを表示するようにしてもよいし、ブラウザを起動させて、サーバ装置３にアクセスすることで、解説や映像データなどのコンテンツを表示するようにしてもよい。
また、端末装置２ｅは、無線通信部２１と、端末入力部２２と、端末表示部２３と、端末記憶部２４ｅと、端末制御部２５ｅとを備えている。
【０２３４】
端末記憶部２４ｅ（記憶部の一例）は、端末装置２ｅが利用する各種データを記憶する。端末記憶部２４ｅは、コンテンツ記憶部２４１ｅと、モード情報記憶部２４３と、選択情報記憶部２４７とを備えている。
【０２３５】
コンテンツ記憶部２４１ｅは、例えば、図２６に示す、コンテンツ記憶部１４１ｅと同様情報を記憶する。コンテンツ記憶部２４１ｅが記憶する情報は、ネットワークＮＷ１を介して、マスタ装置１ｅから配信されたコンテンツ対応情報である。
【０２３６】
端末制御部２５ｅは、例えば、ＣＰＵなどを含むプロセッサであり、端末装置２ｅを統括的に制御する。端末制御部２５ｅは、モード選択部２５１と、表示位置選択部２５２と、表示制御部２５３ｅと、コンテンツ選択部２５４とを備えている。
【０２３７】
表示制御部２５３ｅの基本的な機能は、上述した第５の実施形態の表示制御部２５３ｄと同様である。表示制御部２５３ｅは、無線通信部２１が受信した通報に基づいて、当該通報に含まれる選択映像情報が示す映像を端末表示部２３に表示させる。また、表示制御部２５３ｅは、コンテンツ対応情報に基づいて、表示選択部１５７によって選択された調理工程に対応する解説コンテンツを端末表示部２３に表示させる。
【０２３８】
また、表示制御部２５３ｅは、自装置（端末装置２ｅ）のユーザ（例えば、レストランの顧客）が解説コンテンツを選択している状態において、マスタ装置１ｅにおいて調理方法（生産方法コンテンツ）の少なくとも１つが選択された場合、コンテンツ対応情報に基づいて、解説コンテンツの少なくとも１つを端末表示部２３に表示させる。
【０２３９】
本実施形態による情報提供システム１００ｅの動作は、基本的には、上述した第５の実施形態と同様であるが、マスタ装置１ｅからの通報に基づいて、調理の映像の他に、調理工程、食材、調理方法などの解説を表示する点が異なる。その他の点は、第５の実施形態と同様であるため、ここでは、本実施形態による情報提供システム１００ｅの動作の説明を省略する。
【０２４０】
以上説明したように、本実施形態による情報提供システム１００ｅは、注文に関する情報を示す注文情報（例えば、オーダ、メニュー名、注文者、座席など）と、端末装置２を識別する端末識別情報（例えば、端末ＩＤ）とが対応付けられた注文端末情報を記憶する注文情報記憶部１４８を備える。端末制御部１５２ｅは、マスタ装置１ｅのユーザが注文情報を示す操作子（例えば、操作ボタン）を選択した場合、注文端末情報に基づいて、当該注文情報に対応する端末識別情報（例えば、端末ＩＤ）を抽出する。端末制御部１５２ｅは、抽出した端末識別情報（例えば、端末ＩＤ）が示す端末装置２ｅへ、選択映像情報を含む通報を送信させる。端末識別情報が示す端末装置２ｅの端末表示部２３は、当該通報に基づいて、選択映像情報が示す映像を表示する。
これにより、本実施形態による情報提供システム１００ｅは、注文情報に応じた端末装置２ｅに、選択した映像を表示することができるので、利便性をさらに向上させることができる。
【０２４１】
また、本実施形態では、マスタ装置１ｅは、注文情報が示す注文品の生産工程の各々と、生産工程の解説コンテンツと、が生産工程（例えば、調理工程）の順に対応付けられたコンテンツ対応情報を記憶するコンテンツ記憶部１４１ｅと、生産工程を選択する表示選択部１５７（工程選択部）と、を備える。そして、端末装置２ｅの端末表示部２３は、コンテンツ対応情報に基づいて、表示選択部１５７によって選択された生産工程（例えば、調理工程）に対応する解説コンテンツを表示する。
これにより、本実施形態による情報提供システム１００ｅは、生産工程（例えば、調理工程）に対応した解説コンテンツを端末装置２ｅに適切に表示することができるので、利便性をさらに向上させることができる。
【０２４２】
また、本実施形態では、コンテンツ記憶部１４１ｅは、生産工程（例えば、調理工程）の各々と、生産方法を示す生産方法コンテンツ（例えば、調理方法）と、解説コンテンツとが対応付けられたコンテンツ対応情報を記憶する。そして、端末装置２ｅの各々の端末表示部２３は、自装置のユーザが解説コンテンツを選択している状態において、マスタ装置１ｅにおいて生産方法コンテンツ（例えば、調理方法）の少なくとも１つが選択された場合、コンテンツ対応情報に基づいて、解説コンテンツの少なくとも１つを表示する。
これにより、本実施形態による情報提供システム１００ｅは、生産方法コンテンツと解説コンテンツとの異なる種類のコンテンツ間で同期を取って、端末装置２ｅの端末表示部２３にコンテンツを表示するため、利便性を向上させることができる。
【０２４３】
［第７の実施形態］
次に、図面を参照して、第７の実施形態による情報提供システム１００ｆについて説明する。
図２７は、第７の実施形態による情報提供システム１００ｆの一例を示すブロック図である。
【０２４４】
図２７に示すように、情報提供システム１００ｆは、マスタ装置１ｆと、複数の端末装置（２ｆ−１、２ｆ−２、・・・）と、サーバ装置３とを備える。マスタ装置１ｆと、複数の端末装置（２ｆ−１、２ｆ−２、・・・）と、サーバ装置３とは、ネットワークＮＷ１に接続可能である。
【０２４５】
本実施形態では、情報提供システム１００ｆが、例えば、スポーツ競技場などの客席において、コレオグラフィー（人文字）を実施するためのコレオグラフィー支援システムとして使用される場合の一例について説明する。
【０２４６】
また、本実施形態において、複数の端末装置（２ｆ−１、２ｆ−２、・・・）のそれぞれは、同様の構成であり、情報提供システム１００ｆが備える任意の端末装置を示す場合、又は特に区別しない場合には、端末装置２ｆとして説明する。
なお、図２７において、上述した図１と同一の構成は、同一の符号を付与して、その説明を省略する。
【０２４７】
マスタ装置１ｆは、複数の端末装置２ｆに情報を提供する親機装置であり、例えば、タブレット端末装置などである。マスタ装置１ｆは、応援グループのリーダなどのコレオグラフィーの主催者によって使用される。また、マスタ装置１ｆは、無線通信部１１と、マスタ入力部１２と、マスタ表示部１３と、マスタ記憶部１７と、マスタ制御部１８とを備えている。
【０２４８】
マスタ記憶部１７（記憶部の一例）は、マスタ装置１ｆが利用する各種データを記憶する。マスタ記憶部１７は、席画像情報記憶部１７１と、分割画像記憶部１７２と、端末情報記憶部１７３と、画像情報記憶部１７４とを備えている。
【０２４９】
席画像情報記憶部１７１は、席を示す席情報と、画像上の領域とが対応付けられた席画像情報を記憶する。ここで、図２８を参照して、本実施形態における席画像情報記憶部１７１のデータ例について説明する。
【０２５０】
図２８は、本実施形態における席画像情報記憶部１７１のデータ例を示す図である。
図２８に示すように、席画像情報記憶部１７１は、「席情報」と、「分割画像領域」とを対応付けた席画像情報を記憶する。ここで、「席情報」は、席を示す情報であり、例えば、席に付与されたシート番号（席番号）である。また、「分割画像領域」は、画像上の領域を示している。なお、画像上の領域とは、コレオグラフィーを行う席の全体領域を１つの画像とした場合に、画像を形成する１画素の領域であり、例えば、席の全体領域を横Ｘ個×縦Ｙ個の領域に分割した領域である。「分割画像領域」における（ｘ，ｙ）は、横ｘ番目、縦ｙ番目の分割画像領域を示している。
【０２５１】
図２８に示す例では、「席情報」が“Ａ−１”である席は、「分割画像領域」の“（１，１）”（横１番目、縦１番目の分割画像領域）に対応することを示している。
なお、１画素の領域を複数の席で構成する場合について説明したが、１画素の領域を１つの席で構成するようにしてもよい。
【０２５２】
図２７の説明に戻り、分割画像記憶部１７２は、コレオグラフィーを行う画像を分割した分割画像を示す分割画像情報を記憶する。ここで、図２９を参照して、本実施形態における分割画像記憶部１７２のデータ例について説明する。
【０２５３】
図２９は、本実施形態における分割画像記憶部１７２のデータ例を示す図である。
図２９に示すように、分割画像記憶部１７２は、「画像名」と、「席情報」と、「分割画像」とを対応付けた分割画像情報を記憶する。ここで、「画像名」は、コレオグラフィーを行う画像名を示し、分割画像を画像として同期させる画像同期情報の一例である。また、「席情報」は、上述した席に付与されたシート番号（席番号）である。「分割画像」は、分割画像の画像情報を示している。
【０２５４】
図２９に示す例では、「画像名」が“画像Ａ”において、「席情報」が“Ａ−１”の「分割画像」が“分割画像Ａ１”であることを示している。
このように、分割画像記憶部１７２は、画像ごとに、席情報と、分割画像とを対応付けて記憶する。
【０２５５】
再び、図２７の説明に戻り、端末情報記憶部１７３は、席情報と端末装置２ｆを識別する端末識別情報とを対応付けた端末情報を記憶する。ここで、図３０を参照して、本実施形態における端末情報記憶部１７３のデータ例について説明する。
図３０は、本実施形態における端末情報記憶部１７３のデータ例を示す図である。
図３０に示すように、端末情報記憶部１７３は、「席情報」と、「端末ＩＤ」とを対応付けた端末情報を記憶する。ここで、「端末ＩＤ」は、端末装置２ｆを識別する識別情報である。
【０２５６】
図３０に示す例では、「席情報」の“Ａ−１”に「端末ＩＤ」が“Ｔ０００１”の端末装置２ｆが対応付けられていることを示している。
再び、図２７の説明に戻り、画像情報記憶部１７４は、コレオグラフィーを行う画像データ（元画像データ）を記憶する。画像情報記憶部１７４が記憶する画像データは、予め作成されて記憶されているものとする。
【０２５７】
マスタ制御部１８は、例えば、ＣＰＵなどを含むプロセッサであり、マスタ装置１ｆを統括的に制御する。マスタ制御部１８は、コレオグラフィーを行うための各種処理を実行する。また、マスタ制御部１８は、無線通信部１１を介して、複数の端末装置２ｆの各々から、席情報と、端末ＩＤとを取得し、取得した席情報と、端末ＩＤとを対応付けて端末情報記憶部１７３に記憶させる。
また、マスタ制御部１８は、分割画像生成部１８１と、端末制御部１８２と、表示画像選択部１８３と、表示制御部１８４とを備えている。
【０２５８】
分割画像生成部１８１（生成部の一例）は、席画像情報に基づいて、席情報ごとに、画像を分割した分割画像と、当該分割画像を画像として同期させる画像同期情報と、を生成する。分割画像生成部１８１は、例えば、席画像情報記憶部１７１が記憶する席画像情報と、画像情報記憶部１７４が記憶する画像データとに基づいて、分割画像を生成する。分割画像生成部１８１は、図２９に示すように、「画像名」と、「席情報」と、生成した「分割画像」とを対応付けて、分割画像記憶部１７２に記憶させる。
なお、画像同期情報は、例えば、画像（元画像）を識別する画像識別情報（例えば、画像名、画像ＩＤ、表示番号など）であってもよいし、コレオグラフィーにより画像を表示させる時刻を示す情報や、何分後などのタイミングを同期させる情報などであってもよい。また、分割画像は、単色の画面であってもよいし、複数色の画面であってもよい。
また、分割画像生成部１８１は、分割画像記憶部１７２に既に分割画像情報が記憶されている画像に対して、分割画像情報を再度実行しないようにしてもよい。
【０２５９】
端末制御部１８２は、画像ごとに、席情報の分割画像と画像同期情報とを端末装置２ｆへ送信させる。端末制御部１８２は、例えば、席情報の各々について、画像ごとに、当該席情報に対応付けられた端末装置２へ、当該席情報の分割画像と画像同期情報とを送信させる。すなわち、端末制御部１８２は、分割画像生成部１８１から取得した画像ごとの席情報の分割画像と画像同期情報とを、無線通信部１１を介して、サーバ装置３に送信し、サーバ装置３から複数の端末装置２ｆの各々に、各端末装置２ｆに対応する分割画像と、画像同期情報とを送信させる。
【０２６０】
表示画像選択部１８３（変更部の一例）は、マスタ装置１ｆのユーザによるマスタ入力部１２の操作によって、コレオグラフィーを行う画像を選択する。表示画像選択部１８３は、例えば、画像情報記憶部１７４が記憶する画像データのうちから、コレオグラフィーを行う画像を選択する。表示画像選択部１８３は、分割画像生成部１８１に対して、選択した画像（画像データ）から分割画像及び画像同期情報を生成させるとともに、端末制御部１８２に、各端末装置２ｆに送信させる。
【０２６１】
また、表示画像選択部１８３は、マスタ装置１ｆのユーザによって、複数の画像が選択された場合には、複数の画像を変更して、分割画像生成部１８１に対して、複数の画像（画像データ）から分割画像及び画像同期情報を生成させる。
なお、この場合、分割画像生成部１８１は、複数の画像のうちの第１画像を分割した第１分割画像及び第１画像として同期させる第１画像同期情報と、複数の画像のうちの第２画像を分割した第２分割画像及び第２画像として同期させる第２画像同期情報と、を生成する。
【０２６２】
表示制御部１８４は、各種操作画面や、コレオグラフィーを行う画像などを、マスタ表示部１３に表示させる。
【０２６３】
端末装置２ｆは、例えば、タブレット端末装置などであり、コレオグラフィーを行う観客によって使用される子機装置である。端末装置２ｆは、例えば、スポーツ観戦している間、観戦している観客に貸与され、コレオグラフィー用の画面を表示する。なお、端末装置２ｆは、専用アプリケーションを起動させることによって、コレオグラフィー用の画面を表示するようにしてもよいし、ブラウザを起動させて、サーバ装置３にアクセスすることで、コレオグラフィー用の画面を表示するようにしてもよい。
また、端末装置２ｆは、無線通信部２１と、端末入力部２２と、端末表示部２３と、端末記憶部２６と、端末制御部２７と、スピーカ２８とを備えている。
【０２６４】
無線通信部２１は、例えば、マスタ装置１ｆから送信された分割画像及び画像同期情報を受信する。また、無線通信部２１（送信部の一例）は、席情報をマスタ装置１ｆに送信する。
端末表示部２３は、自装置に対応する席情報の分割画像を表示する。
【０２６５】
端末記憶部２６は、端末装置２ｆが利用する各種データを記憶する。端末記憶部２６は、席情報記憶部２６１と、表示画像記憶部２６２とを備えている。
席情報記憶部２６１は、端末装置２ｆに対応付けられている席情報を記憶する。ここで、席情報は、上述したように席を示す情報であり、例えば、席に付与されたシート番号（席番号）である。
表示画像記憶部２６２は、端末表示部２３に表示する分割画像を記憶する。表示画像記憶部２６２は、例えば、無線通信部２１を介して、マスタ装置１ｆから受信した分割画像と、画像同期情報とを対応付けて記憶する。
【０２６６】
端末制御部２７は、例えば、ＣＰＵなどを含むプロセッサであり、端末装置２ｆを統括的に制御する。端末制御部２７は、例えば、コレオグラフィーを行う際に、マスタ装置１ｆからの指示に従って、端末表示部２３に、コレオグラフィー用の分割画像を表示させる。
また、端末制御部２７は、席情報取得部２７１と、表示制御部２７２とを備えている。
【０２６７】
席情報取得部２７１は、自装置の席情報を取得する。席情報取得部２７１は、例えば、座席やチケットに記載されている座席のシート番号を、端末装置２ｆのユーザが、端末入力部２２を介して取得することで、自装置の席情報を取得する。なお、席情報取得部２７１は、例えば、自装置の位置を示す測位情報に基づいて、自装置の席情報を取得するようにしてもよい。ここで、測位情報には、例えば、ＧＰＳなどの測位システムにより取得された位置情報、公衆無線ＬＡＮや移動体通信の複数の基地局からの電波強度情報に基づいて検出される位置情報、及び複数のビーコンからの電波強度情報に基づいて検出される位置情報などが含まれる。
【０２６８】
また、席情報取得部２７１は、取得した自装置の席情報を席情報記憶部２６１に記憶させる。また、席情報取得部２７１は、取得した席情報と、自装置の端末ＩＤとを、無線通信部２１を介して、マスタ装置１ｆに送信する。
【０２６９】
表示制御部２７２は、各種操作画面や、分割画像、等を、端末表示部２３に表示させる。表示制御部２５３は、例えば、画像同期情報で同期して、自装置に対応する席情報の分割画像を端末表示部２３に表示させる。表示制御部２５３は、例えば、表示画像記憶部２６２が記憶する分割画像を、画像同期情報で同期して、端末表示部２３に表示させる。
なお、第１画像と第２画像との複数の画像の分割画像を表示する場合には、表示制御部２７２は、第１画像同期情報で同期して、自装置に送信された第１画像の分割画像を端末表示部２３に表示させ、第２画像同期情報で同期して、自装置に送信された第２画像の分割画像を端末表示部２３に表示させる。
【０２７０】
また、表示制御部２７２は、上述した席情報取得部２７１が席情報を取得した際に、席情報取得部２７１が取得した第１席情報と、自装置に対応付けられた席を示す第２席情報とが一致しない場合に、第２席情報を端末表示部２３に表示させるようにしてもよい。ここで、自装置に対応付けられた席を示す第２席情報は、例えば、席情報記憶部２６１に記憶されている席情報である。
【０２７１】
スピーカ２８（出力部の一例）は、端末制御部２７の制御に基づいて、音を出力する。スピーカ２８は、例えば、表示制御部２７２によって、端末表示部２３への分割画像の表示が終了した場合に、分割画像の表示が終了したことを示す出力（例えば、音の出力）を行うようにしてもよい。
【０２７２】
次に、図面を参照して、本実施形態による情報提供システム１００ｆの動作について説明する。
図３１は、本実施形態による情報提供システム１００ｆのコレオグラフィーの表示処理の一例を示す図である。
【０２７３】
図３１において、まず、端末装置２ｆは、席情報を取得する（ステップＳ５０１）。端末装置２ｆの席情報取得部２７１は、例えば、座席やチケットに記載されている座席のシート番号を、端末装置２ｆのユーザが、端末入力部２２を介して取得することで、自装置の席情報を取得する。席情報取得部２７１は、取得した自装置の席情報を席情報記憶部２６１に記憶させる。
【０２７４】
次に、端末装置２ｆは、取得した席情報と、自装置の端末ＩＤとをサーバ装置３に送信する（ステップＳ５０２）。端末装置２ｆの無線通信部２１は、サーバ装置３に、席情報と、自装置の端末ＩＤとを送信する。
次に、サーバ装置３は、端末装置２ｆから受信した席情報と、自装置の端末ＩＤとをマスタ装置１ｆに送信する（ステップＳ５０３）。
【０２７５】
次に、マスタ装置１ｆは、席情報を記憶する（ステップＳ５０４）。マスタ装置１ｆのマスタ制御部１８は、無線通信部１１を介して、席情報と、端末ＩＤとを受信し、受信した席情報と、端末ＩＤとを対応付けて端末情報記憶部１７３に記憶させる。
【０２７６】
次に、主催者Ｕ１が、マスタ装置１ｆに対して、コレオグラフィーを行う画像の選択操作を行う（ステップＳ５０５）。すなわち、主催者Ｕ１が、マスタ装置１ｆのマスタ入力部１２を操作することにより、表示画像選択部１８３は、画像情報記憶部１７４が記憶する画像の中から画像を選択する。
【０２７７】
次に、マスタ装置１ｆは、分割画像と画像同期情報とを生成する（ステップＳ５０６）。マスタ装置１ｆの分割画像生成部１８１は、例えば、席画像情報記憶部１７１が記憶する席画像情報と、画像情報記憶部１７４が記憶する選択された画像データとに基づいて、分割画像と、画像同期情報とを生成する。
【０２７８】
次に、マスタ装置１ｆは、分割画像に対応する端末装置２ｆを検索する（ステップＳ５０７）。マスタ装置１ｆの端末制御部１８２は、端末情報記憶部１７３を参照して、各席情報に対応する端末ＩＤを抽出して、分割画像の送信先の端末装置２ｆを特定する。
【０２７９】
次に、マスタ装置１ｆは、分割画像と、画像同期情報とをサーバ装置３に送信する（ステップＳ５０８）。端末制御部１８２は、各分割画像及び画像同期情報を、無線通信部１１を介して、サーバ装置３に送信して、各分割画像に対応する端末装置２ｆに転送させる。
【０２８０】
次に、サーバ装置３は、分割画像と、画像同期情報とを端末装置２ｆに送信する（ステップＳ５０９）。サーバ制御部３３は、マスタ装置１ｆから受信した各分割画像及び画像同期情報を、各分割画像に対応する端末装置２ｆに送信する。
【０２８１】
次に、端末装置２ｆは、分割画像を表示する（ステップＳ５１０）。端末装置２ｆの表示制御部２７２は、受信した自装置用の分割画像を、画像同期情報で同期して、端末表示部２３に表示させる。これにより、端末表示部２３は、自装置の席情報に対応する分割画像を表示する。
【０２８２】
以上説明したように、本実施形態による情報提供システム１００ｆは、複数の端末装置２ｆとマスタ装置１ｆとを備える。マスタ装置１ｆは、席画像情報記憶部１７１（記憶部）と、画像を表示するマスタ表示部１３と、分割画像生成部１８１（生成部）と、端末制御部１８２と、を備える。席画像情報記憶部１７１は、席を示す席情報と画像上の領域とが対応付けられた席画像情報を記憶する。分割画像生成部１８１は、席画像情報に基づいて、席情報ごとに、画像を分割した分割画像と、当該分割画像を画像として同期させる画像同期情報と、を生成する。端末制御部１８２は、画像ごとに、席情報の分割画像と画像同期情報とを端末装置２ｆへ送信させる。複数の端末装置２ｆは、画像同期情報で同期して、自装置に対応する席情報の分割画像を表示する端末表示部２３を備える。
【０２８３】
これにより、本実施形態による情報提供システム１００ｆは、席画像情報に基づいて容易に分割画像を生成できる上、各分割画像を端末装置２の端末表示部２３に表示させるため、コレオグラフィーを行うための表示パネルを用意する必要がなく、利便性を向上させることができる。また、端末表示部２３は、画像同期情報で同期して、分割画像を表示するため、端末装置２ｆのユーザは、分割画像の切り替えを行う必要がない。そのため、本実施形態による情報提供システム１００ｆは、コレオグラフィーを行う際のミスを低減することができる。
【０２８４】
また、本実施形態による情報提供システム１００ｆは、マスタ装置１ｆが席画像情報に基づいて分割画像を生成するため、応援の規模（観客の数）に応じて、柔軟にコレオグラフィーを行うことができる。また、本実施形態による情報提供システム１００ｆでは、マスタ装置１ｆに同期させて、端末装置２ｆの各々に分割画像を表示してコレオグラフィーを行うため、マスタ装置１ｆのユーザ（主催者）の操作により、様々な画像のコレオグラフィーを柔軟に行うことができる。
【０２８５】
また、本実施形態では、複数の端末装置２ｆは、自装置の席情報を取得する席情報取得部２７１と、席情報をマスタ装置１ｆに送信する無線通信部２１（送信部）とを備える。端末制御部１８２は、席情報の各々について、画像ごとに、当該席情報に対応付けられた端末装置２ｆへ、当該席情報の分割画像と画像同期情報とを送信させる。
これにより、本実施形態による情報提供システム１００ｆは、席情報に対応付けられた端末装置２ｆに対して、当該席情報の分割画像と画像同期情報とを送信するため、各端末装置２ｆに送信するデータ量を低減しつつ、各端末装置２ｆに分割画像を適切に表示させることができる。
【０２８６】
また、本実施形態では、席情報取得部２７１は、自装置の位置を示す測位情報に基づいて、自装置の席情報を取得する。
これにより、本実施形態による情報提供システム１００ｆでは、端末装置２ｆの席情報を、自動で取得及び設定することができ、さらに利便性を向上させることができる。
【０２８７】
また、本実施形態では、端末表示部２３は、席情報取得部２７１が取得した第１席情報と、自装置に対応付けられた席を示す第２席情報とが一致しない場合に、第２席情報を表示する。
これにより、本実施形態による情報提供システム１００ｆは、観客の座席間違いを低減することができる。
【０２８８】
また、本実施形態では、マスタ装置１ｆは、複数の画像を変更する表示画像選択部１８３（変更部）を備える。分割画像生成部１８１は、複数の画像のうちの第１画像を分割した第１分割画像及び第１画像として同期させる第１画像同期情報と、複数の画像のうちの第２画像を分割した第２分割画像及び第２画像として同期させる第２画像同期情報と、を生成する。そして、端末表示部２３は、第１画像同期情報で同期して、自装置に送信された第１画像の分割画像を表示し、第２画像同期情報で同期して、自装置に送信された第２画像の分割画像を表示する。
これにより、本実施形態による情報提供システム１００ｆは、コレオグラフィーを行う画像を適切に変更することができる。
【０２８９】
また、本実施形態では、複数の端末装置２ｆは、画像の表示が終了したことを示す出力を行うスピーカ２８（出力部）を備える。
これにより、端末装置２ｆのユーザは、コレオグラフィーを行うための画像の表示が終了したことを認知することでき、さらに利便性を向上させることができる。
【０２９０】
また、本実施形態では、端末装置２ｆは、マスタ装置１ｆと通信不能になった場合に、特定の出力又は機能停止を行うようにしてもよい。
これにより、本実施形態による情報提供システム１００ｆは、端末装置２ｆの持ち去り（盗難）を防止することができる。
【０２９１】
また、本実施形態による情報提供方法は、複数の端末装置２ｆと、席を示す席情報と画像上の領域とが対応付けられた席画像情報を記憶する席画像情報記憶部１７１（記憶部）を有するマスタ装置１ｆとを備える情報提供システム１００ｆの情報提供方法であって、マスタ表示ステップと、生成ステップと、通信ステップと、端末表示ステップとを含む。マスタ表示ステップにおいて、マスタ装置１ｆが、画像を表示する。生成ステップにおいて、マスタ装置１ｆが、席画像情報に基づいて、席情報ごとに、画像を分割した分割画像と、当該分割画像を画像として同期させる画像同期情報と、を生成する。通信ステップにおいて、マスタ装置１ｆが、画像ごとに、席情報の分割画像と画像同期情報とを端末装置２ｆに送信する。端末表示ステップにおいて、複数の端末装置２ｆが、通信ステップによって送信された画像同期情報で同期して、自装置に対応する席情報の分割画像を表示する。
これにより、本実施形態による情報提供方法は、上述した情報提供システム１００ｆと同様の効果を奏し、コレオグラフィーを行うための表示パネルを用意する必要がなく、利便性を向上させることができる。
【０２９２】
なお、上述した本実施形態において、同一の画像に対してコレオグラフィーを行う場合には、マスタ装置１ｆは、分割画像を送付せずに、画像同期情報及び画像を識別する情報（例えば、画像名、画像ＩＤ、表示番号など）を端末装置２ｆに送付するようにしてもよい。この場合、端末装置２ｆは、表示画像記憶部２６２が記憶する分割画像のうちの、画像を識別する情報に対応する分割画像を抽出して、端末表示部２３に表示させるようにしてもよい。
【０２９３】
［第８の実施形態］
次に、図面を参照して、第８の実施形態による情報提供システム１００ｇについて説明する。
図３２は、第８の実施形態による情報提供システム１００ｇの一例を示すブロック図である。
【０２９４】
図３２に示すように、情報提供システム１００ｇは、マスタ装置１ｆと、複数の端末装置（２ｇ−１、２ｇ−２、・・・）と、サーバ装置３とを備える。マスタ装置１ｇと、複数の端末装置（２ｇ−１、２ｇ−２、・・・）と、サーバ装置３とは、ネットワークＮＷ１に接続可能である。
【０２９５】
本実施形態では、情報提供システム１００ｇが、例えば、スポーツ競技場などの客席において、コレオグラフィー（人文字）を実施するためのコレオグラフィー支援システムとして使用される場合の一例であり、上述した第７の実施形態の変形例について説明する。
【０２９６】
また、本実施形態において、複数の端末装置（２ｇ−１、２ｇ−２、・・・）のそれぞれは、同様の構成であり、情報提供システム１００ｇが備える任意の端末装置を示す場合、又は特に区別しない場合には、端末装置２ｇとして説明する。
なお、図３２において、上述した図２７と同一の構成は、同一の符号を付与して、その説明を省略する。
【０２９７】
マスタ装置１ｇは、無線通信部１１と、マスタ入力部１２と、マスタ表示部１３と、マスタ記憶部１７ａと、マスタ制御部１８ａとを備えている。
マスタ記憶部１７ａ（記憶部の一例）は、マスタ装置１ｇが利用する各種データを記憶する。マスタ記憶部１７ａは、席画像情報記憶部１７１と、分割画像記憶部１７２と、画像情報記憶部１７４とを備えている。マスタ記憶部１７ａは、端末情報記憶部１７３を備えていない点を除いて、上述したマスタ記憶部１７と同様である。
【０２９８】
マスタ制御部１８ａは、例えば、ＣＰＵなどを含むプロセッサであり、マスタ装置１ｇを統括的に制御する。マスタ制御部１８ａは、分割画像生成部１８１と、端末制御部１８２ａと、表示画像選択部１８３と、表示制御部１８４とを備えている。マスタ制御部１８ａは、端末制御部１８２ａによる処理が異なる点を除いて、上述したマスタ制御部１８と同様である。
【０２９９】
表示制御部１８４ａは、画像ごとに、席情報の分割画像と画像同期情報とを端末装置２ｇへ送信させる。端末制御部１８２ａは、例えば、画像ごとに、席情報の分割画像と画像同期情報とを含む同時通報（例えば、ブロードキャスト通信）を複数の端末装置２ｇへ送信させる。なお、本実施形態における表示制御部１８４ａは、席情報に対応する端末装置２ｇを特定せずに、全分割画像を席情報と対応付けて、全ての端末装置２ｇへ同時に送信させる。
【０３００】
端末装置２ｇは、無線通信部２１と、端末入力部２２と、端末表示部２３と、端末記憶部２６ａと、端末制御部２７ａと、スピーカ２８とを備えている。
端末記憶部２６ａは、端末装置２ｇが利用する各種データを記憶する。端末記憶部２６ａは、席情報記憶部２６１と、表示画像記憶部２６２と、分割画像記憶部２６３とを備えている。端末記憶部２６ａは、分割画像記憶部２６３を備えている点を除いて、上述した端末記憶部２６と同様である。
【０３０１】
分割画像記憶部２６３は、マスタ装置１ｇが送信した画像ごとの全分割画像を記憶する。分割画像記憶部２６３は、例えば、上述した図２９に示す分割画像記憶部１７２と同様に、分割画像を記憶する。
【０３０２】
端末制御部２７ａは、例えば、ＣＰＵなどを含むプロセッサであり、端末装置２ｇを統括的に制御する。端末制御部２７ａは、席情報取得部２７１と、表示制御部２７２ａとを備えている。端末制御部２７ａは、表示制御部２７２ａによる処理が異なる点を除いて、上述した端末制御部２７と同様である。
【０３０３】
表示制御部２７２ａは、同時通報により受信した席情報に対応付けた分割画像のうちの、自装置に対応する席情報の分割画像を、画像同期情報で同期して、端末表示部２３に表示させる。表示制御部２７２ａは、席情報記憶部２６１が記憶する席情報に対応する分割画像を抽出し、当該分割画像を端末表示部２３に表示させる。
【０３０４】
次に、図面を参照して、本実施形態による情報提供システム１００ｇの動作について説明する。
図３３は、本実施形態による情報提供システム１００ｇのコレオグラフィーの表示処理の一例を示す図である。
【０３０５】
図３３において、まず、端末装置２ｇは、席情報を取得する（ステップＳ５２０）。端末装置２ｇの席情報取得部２７１は、例えば、座席やチケットに記載されている座席のシート番号を、端末装置２ｇのユーザが、端末入力部２２を介して取得することで、自装置の席情報を取得する。席情報取得部２７１は、取得した自装置の席情報を席情報記憶部２６１に記憶させる。
【０３０６】
次に、主催者Ｕ１が、マスタ装置１ｇに対して、コレオグラフィーを行う画像の選択操作を行う（ステップＳ５２１）。すなわち、主催者Ｕ１が、マスタ装置１ｇのマスタ入力部１２を操作することにより、表示画像選択部１８３は、画像情報記憶部１７４が記憶する画像の中から画像を選択する。
【０３０７】
次に、マスタ装置１ｇは、分割画像と画像同期情報とを生成する（ステップＳ５２２）。マスタ装置１ｇの分割画像生成部１８１は、例えば、席画像情報記憶部１７１が記憶する席画像情報と、画像情報記憶部１７４が記憶する選択された画像データとに基づいて、分割画像と、画像同期情報とを生成する。
【０３０８】
次に、マスタ装置１ｇは、分割画像と、画像同期情報とをサーバ装置３に送信する（ステップＳ５２３）。端末制御部１８２ａは、席情報に対応付けた全分割画像及び画像同期情報を、無線通信部１１を介して、サーバ装置３に送信して、全端末装置２ｇに転送させる。
【０３０９】
次に、サーバ装置３は、分割画像と、画像同期情報とを含む同時通報を端末装置２ｇに送信する（ステップＳ５２４）。サーバ制御部３３は、席情報に対応付けた全分割画像及び画像同期情報を含む同時通報（例えば、ブロードキャスト通信）を、全端末装置２ｇに送信する。
【０３１０】
次に、端末装置２ｇは、自装置の分割画像を抽出する（ステップＳ５２５）。端末装置２ｇの表示制御部２７２ａは、同時通報により受信した席情報に対応付けた分割画像のうちの、自装置に対応する席情報の分割画像を抽出する。
【０３１１】
次に、端末装置２ｇは、分割画像を表示する（ステップＳ５２６）。表示制御部２７２ａは、抽出した自装置用の分割画像を、画像同期情報で同期して、端末表示部２３に表示させる。これにより、端末表示部２３は、自装置の席情報に対応する分割画像を表示する。
【０３１２】
以上説明したように、本実施形態では、端末制御部１８２ａは、画像ごとに、席情報に対応付けた分割画像と画像同期情報とを含む同時通報を複数の端末装置２ｇへ送信させる。また、複数の端末装置２ｇは、自装置の席情報を取得する席情報取得部２７１を備える。端末表示部２３は、画像同期情報で同期して、同時通報により受信した席情報に対応付けた分割画像のうちの、自装置に対応する席情報の分割画像を表示する。
これにより、本実施形態による情報提供システム１００ｇは、同時通報により、分割画像を複数の端末装置２ｇに一斉に送付することができるため、分割画像の送付の処理を簡略化することができる。
【０３１３】
なお、上述した本実施形態において、同一の画像に対してコレオグラフィーを行う場合には、マスタ装置１ｇは、分割画像を送付せずに、画像同期情報及び画像を識別する情報（例えば、画像名、画像ＩＤ、表示番号など）を端末装置２ｇに送付するようにしてもよい。この場合、端末装置２ｇは、分割画像記憶部２６３が記憶する分割画像のうちの、画像を識別する情報に対応する分割画像を抽出して、端末表示部２３に表示させるようにしてもよい。
【０３１４】
なお、本発明は、上記の各実施形態に限定されるものではなく、本発明の趣旨を逸脱しない範囲で変更可能である。
例えば、上記の各実施形態では、各実施形態を単独で実施する例を説明したが、上記の各実施形態の一部の機能、又は全部の機能を組み合わせて実施するようにしてもよい。
【０３１５】
例えば、上記の第２〜第４の実施形態において、マスタ装置１ａ〜１ｃが備える制御情報生成部１５１が、第１の実施形態と同様に、複数の端末装置２ａ〜２ｃにおける解除モード（第１モード）と強制モード（第２モード）とを切り替えるモード切替情報を生成し、端末制御部１５２ａ〜１５２ｃが、当該モード切替情報を含む同時通報を複数の端末装置２ａ〜２ｃへ送信させてもよい。これにより、情報提供システム１００ａ〜１００ｃは、マスタ装置１ａ〜１ｃから、複数の端末装置２ａ〜２ｃを強制モードに変更することが可能になる。
【０３１６】
また、上記の第５、及び第６の実施形態において、マスタ装置１ｄ（１ｅ）は、上述した第２〜第４の実施形態と同様の制御情報生成部１５１を備え、端末制御部１５２ｄ（１５２ｅ）が、当該モード切替情報を含む同時通報を複数の端末装置２ｄ（２ｃ）へ送信させてもよい。
また、上記の第１〜第６の実施形態において、モード選択部２５１は、マスタ装置１（１ａ〜１ｅ）によって、強制モード（第２モード）に切り替えられた場合に、強制モード（第２モード）から解除モード（第１モード）にする選択、及び解除モード（第１モード）から強制モード（第２モード）に戻す選択を許可するようにしてもよい。また、この場合、モード選択部２５１は、マスタ装置１（１ａ〜１ｅ）によって、解除モードに切り替えられた場合に、当該モードの選択を禁止するようにしてもよい。
【０３１７】
上記の第７、及び第８の実施形態において、マスタ装置１ｆ（１ｇ）は、上述した第２〜第４の実施形態と同様の制御情報生成部１５１を備え、端末制御部１８２（１８２ａ）が、上述したモード切替情報を含む通報を複数の端末装置２ｆ（２ｇ）へ送信させてもよい。この場合、表示制御部２７２（２７２ａ）は、解除モード（第１モード）において、自装置のユーザによって変更可能な画像（例えば、競技の解説などの表示画像）を端末表示部２３に表示させる。また、表示制御部２７２（２７２ａ）は、強制モード（第２モード）において、表示する画像を、自装置のユーザにより変更不能にし、マスタ装置１ｆ（１ｇ）からの画像同期情報で同期して、自装置に対応する席情報の分割画像を端末表示部２３に表示させる。すなわち、端末表示部２３は、解除モード（第１モード）において、自装置のユーザによって変更可能な画像を表示し、強制モード（第２モード）において、表示する画像を、自装置のユーザにより変更不能にし、マスタ装置１ｆ（１ｇ）からの画像同期情報で同期して、自装置に対応する席情報の分割画像を表示する。
【０３１８】
また、上記の第７、及び第８の実施形態において、席情報取得部２７１は、種類の異なる複数の取得手段（測位システムなど）により測位情報を取得可能であり、端末装置２ｆ（２ｇ）は、測位情報の取得手段の種類に応じて、表示する画像を変更するなどの処理を変更してもよい。すなわち、端末表示部２３は、席情報を取得するための測位情報の取得手段の種類に応じて、異なる画像を分割した分割画像を、自装置に対応する席情報の分割画像として表示するようにしてもよい。
【０３１９】
例えば、公衆無線ＬＡＮによる位置情報と、ビーコンによる位置情報とで、測位情報の検出範囲が異なる場合など、公衆無線ＬＡＮによって位置情報が検出される場合と、ビーコンによって位置情報が検出された場合とで、端末装置２ｆ（２ｇ）が表示する画像を変更するようにしてもよい。例えば、ビーコンによって位置情報が検出された場合には、競技場の中央部分であり、マスタ装置１ｆ（１ｇ）は、頻繁に変更される文字などの分割画像を、端末装置２ｆ（２ｇ）の端末表示部２３に表示させる。
【０３２０】
また、例えば、公衆無線ＬＡＮよって位置情報が検出された場合には、競技場の外周部分であり、マスタ装置１ｆ（１ｇ）は、背景画像などの分割画像を、端末装置２ｆ（２ｇ）の端末表示部２３に表示させる。なお、公衆無線ＬＡＮよって位置情報が検出された場合には、端末装置２ｆ（２ｇ）をコレオグラフィーに参加させずに、ユーザが選択した情報（例えば、解説などのコンテンツ）を表示させるようにしてもよい。この場合、マスタ装置１ｆ（１ｇ）は、上述した解除モード（第１モード）と強制モード（第２モード）との切り替えを行うようにしてもよい。
【０３２１】
また、上記の各実施形態において、マスタ記憶部１４（１４ａ〜１４ｅ）及びマスタ記憶部１７（１７ａ）が記憶する情報の一部、又は全部を、外部装置（例えば、サーバ装置３）が備えるようにしてもよい。また、端末記憶部２４（２４ａ〜２４ｅ）及び端末記憶部２６（２６ａ）が記憶する情報の一部、又は全部を、外部装置（例えば、サーバ装置３）が備えるようにしてもよい。
【０３２２】
また、上記の各実施形態において、マスタ装置１（１ａ〜１ｇ）と端末装置２（２ａ〜２ｇ）とは、サーバ装置３を介して通信する例を説明したが、これに限定されるものではなく、マスタ装置１（１ａ〜１ｇ）と端末装置２（２ａ〜２ｇ）とは、サーバ装置３を介さずに通信するようにしてもよい。
【０３２３】
また、上記の各実施形態において、端末装置２（２ａ〜２ｇ）の機能は、専用アプリケーションにより実現されてもよいし、ブラウザによって実現されてもよい。なお、ブラウザによって実現される場合には、特別なソフトウェアをインストールする必要がないため、情報提供システム１００（１００ａ〜１００ｇ）は、さらに利便性を高めることができる。この場合、例えば、端末装置２（２ａ〜２ｇ）は、専用の端末装置である必要はなく、例えば、スマートフォンやモバイルＰＣなどであってもよい。
【０３２４】
なお、上述した情報提供システム１００（１００ａ〜１００ｇ）が備える各構成は、内部に、コンピュータシステムを有している。そして、上述した情報提供システム１００（１００ａ〜１００ｇ）が備える各構成の機能を実現するためのプログラムをコンピュータ読み取り可能な記録媒体に記録して、この記録媒体に記録されたプログラムをコンピュータシステムに読み込ませ、実行することにより上述した情報提供システム１００（１００ａ〜１００ｇ）が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【０３２５】
また、記録媒体には、当該プログラムを配信するために配信サーバからアクセス可能な内部又は外部に設けられた記録媒体も含まれる。なお、プログラムを複数に分割し、それぞれ異なるタイミングでダウンロードした後に情報提供システム１００（１００ａ〜１００ｇ）が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【０３２６】
また、上述した機能の一部又は全部を、ＬＳＩ（Large Scale Integration）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【０３２７】
１、１ａ〜１ｇ  マスタ装置
２、２ａ〜２ｇ、２ａ−１〜２ｇ−１、２ａ−２〜２ｇ−２  端末装置
３  サーバ装置
４、４−１、４−２  カメラ
１１、２１  無線通信部
１２  マスタ入力部
１３  マスタ表示部
１４、１４ａ〜１４ｅ、１７、１７ａ  マスタ記憶部
１５、１５ａ〜１５ｅ、１８、１８ａ  マスタ制御部
１６  位置検出部
２２  端末入力部
２３  端末表示部
２４、２４ａ〜２４ｅ、２６、２６ａ  端末記憶部
２５、２５ａ〜２５ｅ、２７、２７ａ、１５２、１５２ａ〜１５２ｅ、１８２、１８２ａ  端末制御部
３１  ＮＷ通信部
３２  サーバ記憶部
３３  サーバ制御部
１００、１００ａ〜１００ｇ  情報提供システム
１４１、１４１ａ〜１４１ｅ、２４１、２４１ａ〜２４１ｅ  コンテンツ記憶部
１４２、２４２  制御情報記憶部
１４３、２４４  表示位置記憶部
１４４  観光地情報記憶部
１４５  競技解説記憶部
１４６、２４６  映像情報記憶部
１４７、２４７  選択情報記憶部
１４８  注文情報記憶部
１５１、１５１ａ〜１５１ｅ  制御情報生成部
１５３、１５３ａ、２５２、  表示位置選択部
１５４、１５４ａ〜１５４ｅ、１８４、１８４ａ、２５３、２５３ａ〜２５３ｅ、２７２、２７２ａ  表示制御部
１５５  コンテンツ制御部
１５６  映像取得部
１５７  表示選択部
１７１  席画像情報記憶部
１７２、２６３  分割画像記憶部
１７３  端末情報記憶部
１７４  画像情報記憶部
１８１  分割画像生成部
１８３  表示画像選択部
２４３  モード情報記憶部
２４５  選択コンテンツ記憶部
２５１  モード選択部
２５４  コンテンツ選択部
２６１  席情報記憶部
２６２  表示画像記憶部
２７１  席情報取得部
ＮＷ１  ネットワーク
【図１】
2019004267.tif 000003
【図２】
2019004267.tif 000004
【図３】
2019004267.tif 000005
【図４】
2019004267.tif 000006
【図５】
2019004267.tif 000007
【図６】
2019004267.tif 000008
【図７】
2019004267.tif 000009
【図８】
2019004267.tif 000010
【図９】
2019004267.tif 000011
【図１０】
2019004267.tif 000012
【図１１】
2019004267.tif 000013
【図１２】
2019004267.tif 000014
【図１３】
2019004267.tif 000015
【図１４】
2019004267.tif 000016
【図１５】
2019004267.tif 000017
【図１６】
2019004267.tif 000018
【図１７】
2019004267.tif 000019
【図１８】
2019004267.tif 000020
【図１９】
2019004267.tif 000021
【図２０】
2019004267.tif 000022
【図２１】
2019004267.tif 000023
【図２２】
2019004267.tif 000024
【図２３】
2019004267.tif 000025
【図２４】
2019004267.tif 000026
【図２５】
2019004267.tif 000027
【図２６】
2019004267.tif 000028
【図２７】
2019004267.tif 000029
【図２８】
2019004267.tif 000030
【図２９】
2019004267.tif 000031
【図３０】
2019004267.tif 000032
【図３１】
2019004267.tif 000033
【図３２】
2019004267.tif 000034
【図３３】
2019004267.tif 000035
【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
複数の端末装置とマスタ装置とを備える情報提供システムであって、
前記マスタ装置は、
第１の映像と第２の映像とを取得する映像取得部と、
前記マスタ装置のユーザからの要求に基づいて、前記第１の映像又は前記第２の映像を選択するマスタ選択部と、
選択された映像を示す選択映像情報を含む通報を前記端末装置へ送信させる端末制御部と、
前記複数の端末装置における第１モードと第２モードとを切り替えるモード切替情報を生成する生成部と
を備え、
前記複数の端末装置は、
前記通報を受信する受信部と、
前記第１モードと前記第２モードとのいずれかを選択するモード選択部と、
前記通報に基づいて、前記選択映像情報が示す映像を表示する端末表示部であって、前記第１モードにおいて、自装置のユーザが選択した前記第１の映像又は前記第２の映像を表示し、前記第２モードにおいて、前記通報に基づいて、前記選択映像情報が示す映像を表示する端末表示部と
を備え、
前記端末制御部は、前記モード切替情報を含む前記通報を前記複数の端末装置へ送信させ、
前記モード選択部は、
前記マスタ装置によって、前記第２モードに切り替えられた場合に、前記第２モードから前記第１モードにする選択、及び前記第１モードから前記第２モードに戻す選択を許可し、
前記マスタ装置によって、前記第１モードに切り替えられた場合に、当該モードの選択を禁止する
ことを特徴とする情報提供システム。
【請求項２】
前記通報は、前記複数の端末装置の各々に同時に通報する同時通報である
ことを特徴とする請求項１に記載の情報提供システム。
【請求項３】
解説を表す解説コンテンツを決定する決定部と、
前記解説コンテンツと、前記解説コンテンツが決定されたときに配信されていた映像の再生時点を示す再生時点情報と、を対応付けて、コンテンツ対応情報として記憶部に記憶させるコンテンツ制御部と、
を備え、
前記端末表示部は、自装置のユーザが前記解説コンテンツを選択した場合、前記コンテンツ対応情報に基づいて、対応する前記再生時点情報が示す再生時点の映像を表示する
ことを特徴とする請求項１又は請求項２に記載の情報提供システム。
【請求項４】
注文に関する情報を示す注文情報と、前記端末装置を識別する端末識別情報とが対応付けられた注文端末情報を記憶する注文情報記憶部を備え、
前記端末制御部は、前記マスタ装置のユーザが前記注文情報を示す操作子を選択した場合、前記注文端末情報に基づいて、当該注文情報に対応する端末識別情報を抽出し、抽出した前記端末識別情報が示す前記端末装置へ、前記選択映像情報を含む通報を送信させ、
前記端末識別情報が示す前記端末装置の前記端末表示部は、
前記通報に基づいて、前記選択映像情報が示す映像を表示する
ことを特徴とする請求項１から請求項３のいずれか一項に記載の情報提供システム。
【請求項５】
前記マスタ装置は、
前記注文情報が示す注文品の生産工程の各々と、前記生産工程の解説コンテンツと、が前記生産工程の順に対応付けられたコンテンツ対応情報を記憶するコンテンツ記憶部と、
前記生産工程を選択する工程選択部と、
を備え、
前記端末表示部は、前記コンテンツ対応情報に基づいて、前記工程選択部によって選択された前記生産工程に対応する前記解説コンテンツを表示する
ことを特徴とする請求項４に記載の情報提供システム。
【請求項６】
前記コンテンツ記憶部は、前記生産工程の各々と、生産方法を示す生産方法コンテンツと、前記解説コンテンツとが対応付けられた前記コンテンツ対応情報を記憶し、
前記端末装置の各々の前記端末表示部は、自装置のユーザが前記解説コンテンツを選択している状態において、前記マスタ装置において前記生産方法コンテンツの少なくとも１つが選択された場合、前記コンテンツ対応情報に基づいて、前記解説コンテンツの少なくとも１つを表示する
ことを特徴とする請求項５に記載の情報提供システム。
【請求項７】
複数の端末装置とマスタ装置とを備える情報提供システムの情報提供方法であって、
前記マスタ装置が、第１の映像と第２の映像とを取得する映像取得ステップと、
前記マスタ装置が、前記マスタ装置のユーザからの要求に基づいて、前記第１の映像又は前記第２の映像を選択するマスタ選択ステップと、
前記マスタ装置が、前記複数の端末装置における第１モードと第２モードとを切り替えるモード切替情報を生成する生成ステップと、
前記マスタ装置が、選択された映像を示す選択映像情報を含む通報を前記端末装置へ送信する通信ステップと、
前記複数の端末装置が、前記通報を受信する受信ステップと、
前記複数の端末装置が、前記第１モードと前記第２モードとのいずれかを選択するモード選択ステップと、
前記複数の端末装置が、前記通報に基づいて、前記選択映像情報が示す映像を表示する端末表示ステップであって、前記第１モードにおいて、自装置のユーザが選択した前記第１の映像又は前記第２の映像を表示し、前記第２モードにおいて、前記通報に基づいて、前記選択映像情報が示す映像を表示する端末表示ステップと
を含み、
前記通信ステップにおいて、前記マスタ装置が、前記モード切替情報を含む前記通報を前記複数の端末装置へ送信し、
前記モード選択ステップにおいて、前記複数の端末装置が、前記マスタ装置によって、前記第２モードに切り替えられた場合に、前記第２モードから前記第１モードにする選択、及び前記第１モードから前記第２モードに戻す選択を許可し、
前記マスタ装置によって、前記第１モードに切り替えられた場合に、当該モードの選択を禁止する
ことを特徴とする情報提供方法。
【手続補正２】
【補正対象書類名】明細書
【補正対象項目名】０００６
【補正方法】変更
【補正の内容】
【０００６】
上記問題を解決するために、本発明の一態様は、複数の端末装置とマスタ装置とを備える情報提供システムであって、前記マスタ装置は、第１の映像と第２の映像とを取得する映像取得部と、前記マスタ装置のユーザからの要求に基づいて、前記第１の映像又は前記第２の映像を選択するマスタ選択部と、選択された映像を示す選択映像情報を含む通報を前記端末装置へ送信させる端末制御部と、前記複数の端末装置における第１モードと第２モードとを切り替えるモード切替情報を生成する生成部とを備え、前記複数の端末装置の各々は、前記通報を受信する受信部と、前記第１モードと前記第２モードとのいずれかを選択するモード選択部と、前記通報に基づいて、前記選択映像情報が示す映像を表示する端末表示部であって、前記第１モードにおいて、自装置のユーザが選択した前記第１の映像又は前記第２の映像を表示し、前記第２モードにおいて、前記通報に基づいて、前記選択映像情報が示す映像を表示する端末表示部とを備え、前記端末制御部は、前記モード切替情報を含む前記通報を前記複数の端末装置へ送信させ、前記モード選択部は、前記マスタ装置によって、前記第２モードに切り替えられた場合に、前記第２モードから前記第１モードにする選択、及び前記第１モードから前記第２モードに戻す選択を許可し、前記マスタ装置によって、前記第１モードに切り替えられた場合に、当該モードの選択を禁止することを特徴とする情報提供システムである。
【手続補正３】
【補正対象書類名】明細書
【補正対象項目名】００１５
【補正方法】変更
【補正の内容】
【００１５】
また、本発明の一態様は、複数の端末装置とマスタ装置とを備える情報提供システムの情報提供方法であって、前記マスタ装置が、第１の映像と第２の映像とを取得する映像取得ステップと、前記マスタ装置が、前記マスタ装置のユーザからの要求に基づいて、前記第１の映像又は前記第２の映像を選択するマスタ選択ステップと、前記マスタ装置が、前記複数の端末装置における第１モードと第２モードとを切り替えるモード切替情報を生成する生成ステップと、前記マスタ装置が、選択された映像を示す選択映像情報を含む通報を前記端末装置へ送信する通信ステップと、前記複数の端末装置が、前記通報を受信する受信ステップと、前記複数の端末装置が、前記第１モードと前記第２モードとのいずれかを選択するモード選択ステップと、前記複数の端末装置が、前記通報に基づいて、前記選択映像情報が示す映像を表示する端末表示ステップであって、前記第１モードにおいて、自装置のユーザが選択した前記第１の映像又は前記第２の映像を表示し、前記第２モードにおいて、前記通報に基づいて、前記選択映像情報が示す映像を表示する端末表示ステップとを含み、前記通信ステップにおいて、前記マスタ装置が、前記モード切替情報を含む前記通報を前記複数の端末装置へ送信し、前記モード選択ステップにおいて、前記複数の端末装置が、前記マスタ装置によって、前記第２モードに切り替えられた場合に、前記第２モードから前記第１モードにする選択、及び前記第１モードから前記第２モードに戻す選択を許可し、前記マスタ装置によって、前記第１モードに切り替えられた場合に、当該モードの選択を禁止することを特徴とする情報提供方法である。